(57)【要約】【課題】専用の機構を有さなくても、印刷物の位置をユーザに把握させ易くすることが可能な検査システム、印刷装置及び印刷物位置報知方法を提供する。【解決手段】印刷装置１００は、Ｎページ分の元画像に基づいてＭ枚の印刷物を生成する印刷部１７９を備える。印刷物検査装置２００は、Ｎページ分の元画像を取得する画像取得部２７１と、元画像が印刷された用紙の用紙識別情報を含む印刷管理情報を取得する印刷管理情報取得部２７３と、印刷物の印刷面を読み取った読取画像を生成する読取部２７７と、読取画像と当該読取画像に対応する元画像とに基づいて印刷物の印刷面に欠陥が生じているか否かを検査する検査部２８１と、所定ページの元画像が印刷された用紙の用紙識別情報を印刷装置１００に通知する通知部２８７と、を備える。印刷部１７９は、通知された用紙識別情報と位置報知画像が印刷される用紙の用紙識別情報とに基づいて位置報知印刷物を生成する。【選択図】図６
2017034298.tif 000002
【特許請求の範囲】
【請求項１】
印刷装置と検査装置とを備える検査システムであって、
前記印刷装置は、
Ｎ（Ｎ≧１）ページ分の元画像をＭ（Ｍ≧１）枚の用紙に印刷して、Ｍ枚の印刷物を生成する印刷部を備え、
前記検査装置は、
前記印刷装置から、前記Ｎページ分の元画像を取得する画像取得部と、
前記印刷装置から、前記元画像毎に、当該元画像が印刷された用紙を識別する用紙識別情報を含む印刷管理情報を取得する印刷管理情報取得部と、
前記印刷物毎に、当該印刷物の１以上の印刷面をそれぞれ読み取った１以上の読取画像を生成する読取部と、
前記印刷物毎に、前記１以上の読取画像と当該１以上の読取画像に対応する１以上の元画像とに基づいて、当該印刷物の１以上の印刷面の少なくともいずれかに欠陥が生じているか否かを検査する検査部と、
欠陥が生じている印刷面に形成された元画像を含む１ページ分以上の元画像のうち、所定ページの元画像が印刷された用紙の用紙識別情報を前記印刷装置に通知する通知部と、を備え、
前記印刷部は、前記通知された用紙識別情報と、前記所定ページの元画像が形成された印刷物との位置関係を示す位置報知画像が印刷される用紙の用紙識別情報と、に基づいて、当該位置報知画像を当該用紙に印刷して、位置報知印刷物を生成する検査システム。
【請求項２】
前記印刷物及び前記位置報知印刷物が生成順にスタックされるスタック部を備えるスタック装置を更に備え、
前記印刷装置は、
前記通知された用紙識別情報、及び前記位置報知画像が印刷される用紙の用紙識別情報に基づいて、前記位置報知画像として、前記位置報知印刷物の何枚下に前記所定ページの元画像が形成された印刷物が存在するかを表した画像を生成する位置報知画像生成部を更に備える請求項１に記載の検査システム。
【請求項３】
前記１ページ分以上の元画像及び前記所定ページの元画像は、前記欠陥が生じている印刷面に形成された元画像である請求項２に記載の検査システム。
【請求項４】
前記検査装置は、
前記欠陥が生じている印刷面を読み取って生成された読取画像に基づく画像を含む位置報知画像生成用画像を生成する生成用画像生成部を更に備え、
前記通知部は、前記位置報知画像生成用画像を前記印刷装置に更に通知し、
前記位置報知画像生成部は、前記位置報知画像生成用画像に、前記位置報知印刷物の何枚下に前記欠陥が生じている印刷面を有する印刷物が存在するかを表した画像を合成して、前記位置報知画像を生成する請求項３に記載の検査システム。
【請求項５】
前記検査部は、前記欠陥が生じている印刷面を読み取って生成された読取画像上での欠陥の位置を示す欠陥位置情報を生成し、
前記生成用画像生成部は、前記欠陥位置情報及び前記欠陥が生じている印刷面を読み取って生成された読取画像に基づいて、当該読取画像に基づく画像として、当該読取画像上の欠陥の位置を示した画像を生成する請求項４に記載の検査システム。
【請求項６】
前記１ページ分以上の元画像は、前記欠陥が生じている印刷面に形成された元画像を含む部を構成する１以上の元画像であり、
前記所定ページの元画像は、前記部の最終ページの元画像である請求項２に記載の検査システム。
【請求項７】
前記検査装置は、
前記部の何枚目に前記欠陥が生じている印刷面の印刷物が存在するかを示す画像を含む位置報知画像生成用画像を生成する生成用画像生成部を更に備え、
前記通知部は、前記位置報知画像生成用画像を前記印刷装置に更に通知し、
前記位置報知画像生成部は、前記位置報知画像生成用画像に、前記位置報知印刷物の何枚下に前記部の最終ページの元画像が形成された印刷物が存在するかを表した画像を合成して、前記位置報知画像を生成する請求項６に記載の検査システム。
【請求項８】
前記１ページ分以上の元画像は、前記欠陥が生じている印刷面に形成された元画像を含むジョブを構成する１以上の元画像であり、
前記所定ページの元画像は、前記ジョブの最終ページの元画像である請求項２に記載の検査システム。
【請求項９】
前記検査装置は、
前記ジョブの何枚目に前記欠陥が生じている印刷面の印刷物が存在するかを示す画像を含む位置報知画像生成用画像を生成する生成用画像生成部を更に備え、
前記通知部は、前記位置報知画像生成用画像を前記印刷装置に更に通知し、
前記位置報知画像生成部は、前記位置報知画像生成用画像に、前記位置報知印刷物の何枚下に前記ジョブの最終ページの元画像が形成された印刷物が存在するかを表した画像を合成して、前記位置報知画像を生成する請求項８に記載の検査システム。
【請求項１０】
Ｎ（Ｎ≧１）ページ分の元画像をＭ（Ｍ≧１）枚の用紙に印刷して、Ｍ枚の印刷物を生成する印刷部と、
前記Ｎページ分の元画像を検査装置に出力する元画像出力部と、
前記元画像毎に、当該元画像が印刷された用紙の用紙識別情報を含む印刷管理情報を前記検査装置に出力する印刷管理情報出力部と、
前記検査装置から、欠陥が生じている印刷物の印刷面に形成された元画像を含む１ページ分以上の元画像のうち、所定ページの元画像が印刷された用紙の用紙識別情報を受け付ける受付部と、を備え、
前記印刷部は、前記通知された用紙識別情報と、前記所定ページの元画像が形成された印刷物との位置関係を示す位置報知画像が印刷される用紙の用紙識別情報と、に基づいて、当該位置報知画像を当該用紙に印刷して、位置報知印刷物を生成する印刷装置。
【請求項１１】
印刷装置と検査装置とを備える検査システムで実行される印刷物位置報知方法であって、
前記印刷装置は、
Ｎ（Ｎ≧１）ページ分の元画像をＭ（Ｍ≧１）枚の用紙に印刷して、Ｍ枚の印刷物を生成する印刷ステップを含み、
前記検査装置は、
前記印刷装置から、前記Ｎページ分の元画像を取得する元画像取得ステップと、
前記印刷装置から、前記元画像毎に、当該元画像が印刷された用紙の用紙識別情報を含む印刷管理情報を取得する印刷管理情報取得ステップと、
前記印刷物毎に、当該印刷物の１以上の印刷面をそれぞれ読み取った１以上の読取画像を生成する読取ステップと、
前記印刷物毎に、前記１以上の読取画像と当該１以上の読取画像に対応する１以上の元画像とに基づいて、当該印刷物の１以上の印刷面の少なくともいずれかに欠陥が生じているか否かを検査する検査ステップと、
欠陥が生じている印刷面に形成された元画像を含む１ページ分以上の元画像のうち、所定ページの元画像が印刷された用紙の用紙識別情報を前記印刷装置に通知する通知ステップと、を含み、
前記印刷ステップでは、前記通知された用紙識別情報と、前記所定ページの元画像が形成された印刷物との位置関係を示す位置報知画像が印刷される用紙の用紙識別情報と、に基づいて、当該位置報知画像を当該用紙に印刷して、位置報知印刷物を更に生成する印刷物位置報知方法。
【発明の詳細な説明】
【技術分野】
【０００１】
本発明は、検査システム、印刷装置及び印刷物位置報知方法に関する。
【背景技術】
【０００２】
プロダクションプリンティングなど高品質が要求される印刷では、印刷物に対する品質検査が要求されている。例えば、印刷物の生成元の元画像から生成したマスター画像と、印刷物を電気的に読み取ることで生成した読取画像とを比較することで、印刷物の品質を検査する印刷物検査システムが知られている。
【０００３】
ここで、所定の品質を満たす良品印刷物と所定の品質を満たさない不良品印刷物とを別々の排紙トレイに排出できるような機構を印刷物検査システムが備えていない場合、良品印刷物及び不良品印刷物の双方が同一の排紙トレイに排紙されてしまい、混在してスタックされることになる。
【０００４】
良品印刷物であるか不良品印刷物であるかを一目で判断することが難しい場合もあるため、良品印刷物及び不良品印刷物が混在して排紙トレイにスタックされている状況下において、不良品印刷物など目的の印刷物を探し出すことは容易ではない。
【０００５】
このような問題に対処するため、例えば特許文献１には、排紙トレイを備えるスタッカに対し、印刷物がスタックされる方向に複数のＬＥＤ（Light  Emitting  diode）を配置し、目的の印刷物が位置する箇所のＬＥＤを点灯させ、当該目的の印刷物の位置を報知する技術が提案されている。
【発明の概要】
【発明が解決しようとする課題】
【０００６】
しかしながら、上述したような従来技術では、所定の印刷物の位置を報知するために、ＬＥＤなど専用の機構が必要であり、このような機構を有さない検査システムには適用できない。
【０００７】
本発明は、上記事情に鑑みてなされたものであり、専用の機構を有さなくても、印刷物の位置をユーザに把握させ易くすることが可能な検査システム、印刷装置及び印刷物位置報知方法を提供することを目的とする。
【課題を解決するための手段】
【０００８】
上述した課題を解決し、目的を達成するために、本発明の一態様にかかる検査システムは、印刷装置と検査装置とを備える検査システムであって、前記印刷装置は、Ｎ（Ｎ≧１）ページ分の元画像をＭ（Ｍ≧１）枚の用紙に印刷して、Ｍ枚の印刷物を生成する印刷部を備え、前記検査装置は、前記印刷装置から、前記Ｎページ分の元画像を取得する画像取得部と、前記印刷装置から、前記元画像毎に、当該元画像が印刷された用紙を識別する用紙識別情報を含む印刷管理情報を取得する印刷管理情報取得部と、前記印刷物毎に、当該印刷物の１以上の印刷面をそれぞれ読み取った１以上の読取画像を生成する読取部と、前記印刷物毎に、前記１以上の読取画像と当該１以上の読取画像に対応する１以上の元画像とに基づいて、当該印刷物の１以上の印刷面の少なくともいずれかに欠陥が生じているか否かを検査する検査部と、欠陥が生じている印刷面に形成された元画像を含む１ページ分以上の元画像のうち、所定ページの元画像が印刷された用紙の用紙識別情報を前記印刷装置に通知する通知部と、を備え、前記印刷部は、前記通知された用紙識別情報と、前記所定ページの元画像が形成された印刷物との位置関係を示す位置報知画像が印刷される用紙の用紙識別情報と、に基づいて、当該位置報知画像を当該用紙に印刷して、位置報知印刷物を生成する。
【発明の効果】
【０００９】
本発明によれば、専用の機構を有しなくても、所定の印刷物の位置を正確にユーザに把握させ易くすることが可能という効果を奏する。
【図面の簡単な説明】
【００１０】
【図１】図１は、本実施形態の印刷物検査システムの構成の一例を示すブロック図である。
【図２】図２は、本実施形態の印刷装置、印刷物検査装置、及びスタッカの一例を示す模式図である。
【図３】図３は、本実施形態のＤＦＥのハードウェア構成の一例を示すブロック図である。
【図４】図４は、本実施形態の印刷装置のハードウェア構成の一例を示すブロック図である。
【図５】図５は、本実施形態の印刷物検査装置のハードウェア構成の一例を示すブロック図である。
【図６】図６は、本実施形態のＤＦＥ、印刷装置、及び印刷物検査装置の機能構成の一例を示すブロック図である。
【図７】図７は、本実施形態の印刷管理情報の一例を示す図である。
【図８】図８は、本実施形態の記憶部に記憶される検査結果情報の一例を示す図である。
【図９】図９は、本実施形態の検査結果情報の一部として記憶部に記憶される欠陥情報の一例を示す図である。
【図１０】図１０は、本実施形態のページ単位での位置報知印刷物生成用の印刷ジョブに含まれる位置報知画像生成用画像の一例を示す図である。
【図１１】図１１は、本実施形態の部単位での位置報知印刷物生成用の印刷ジョブに含まれる位置報知画像生成用画像の一例を示す図である。
【図１２】図１２は、本実施形態のジョブ単位での位置報知印刷物生成用の印刷ジョブに含まれる位置報知画像生成用画像の一例を示す図である。
【図１３】図１３は、本実施形態のページ単位での位置報知印刷物生成用の印刷ジョブに基づいて生成される位置報知画像の一例を示す図である。
【図１４】図１４は、本実施形態の印刷装置で行われる印刷処理の手順の流れの一例を示すフローチャートである。
【図１５】図１５は、本実施形態の選択処理の手順の流れの一例を示すフローチャートである。
【図１６】図１６は、本実施形態の印刷物検査装置で行われる検査処理の手順の流れの一例を示すフローチャートである。
【図１７】図１７は、本実施形態の印刷ジョブ生成処理の手順の流れの一例を示すフローチャートである。
【図１８】図１８は、本実施形態の印刷装置で行われる位置報知画像生成処理の手順の流れの一例を示すフローチャートである。
【発明を実施するための形態】
【００１１】
以下、添付図面を参照しながら、本発明にかかる検査システム、印刷装置及び印刷物位置報知方法の実施形態を詳細に説明する。
【００１２】
図１は、本実施形態の印刷物検査システム１（検査システムの一例）の構成の一例を示すブロック図である。図１に示すように、印刷物検査システム１は、ＰＣ（Personal  Computer）５と、ＤＦＥ（Digital  Front  End）１０と、印刷装置１００と、印刷物検査装置２００（検査装置の一例）と、スタッカ３００（スタック装置の一例）と、を備える。
【００１３】
ＰＣ５、ＤＦＥ１０、印刷装置１００、及び印刷物検査装置２００は、ネットワーク２を介して接続されている。ネットワーク２は、例えば、ＬＡＮ（Local  Area  Network）などにより実現できる。
【００１４】
また、ＤＦＥ１０及び印刷装置１００、印刷装置１００及び印刷物検査装置２００、並びに印刷物検査装置２００及びスタッカ３００は、それぞれ、専用インタフェース用の通信線（通信ケーブル）３で接続されている。専用インタフェースは、例えば、ＰＣＩｅ（Peripheral  Component  Interconnect  Express）やＵＳＢ（Universal  Serial  Bus）などが挙げられるが、これらに限定されるものではない。
【００１５】
但し、ＰＣ５、ＤＦＥ１０、印刷装置１００、印刷物検査装置２００、及びスタッカ３００の接続形態は、これに限定されるものではない。
【００１６】
図２は、本実施形態の印刷装置１００、印刷物検査装置２００、及びスタッカ３００の一例を示す模式図である。
【００１７】
図２に示すように、印刷装置１００は、オペレーションパネル１０１と、感光体ドラム１０２Ｙ、１０２Ｍ、１０２Ｃ、１０２Ｋと、転写ベルト１０３と、二次転写ローラ１０４と、給紙部１０５と、搬送ローラ対１０６と、定着ローラ１０７と、反転パス１０８と、を備える。
【００１８】
オペレーションパネル１０１は、印刷装置１００に対して各種操作入力を行ったり、各種画面を表示したりする操作表示部である。
【００１９】
感光体ドラム１０２Ｙ、１０２Ｍ、１０２Ｃ、１０２Ｋは、それぞれ、作像プロセス（帯電工程、露光工程、現像工程、転写工程、及びクリーニング工程）が行われることによりトナー像が形成され、形成されたトナー像を転写ベルト１０３に転写する。本実施形態では、感光体ドラム１０２Ｙ上にイエロートナー像が形成され、感光体ドラム１０２Ｍ上にマゼンダトナー像が形成され、感光体ドラム１０２Ｃ上にシアントナー像が形成され、感光体ドラム１０２Ｋ上にブラックトナー像が形成されるものとするが、これに限定されるものではない。
【００２０】
転写ベルト１０３は、感光体ドラム１０２Ｙ、１０２Ｍ、１０２Ｃ、及び１０２Ｋから重畳して転写されたトナー像（フルカラーのトナー画像）を二次転写ローラ１０４の二次転写位置に搬送する。本実施形態では、転写ベルト１０３には、まず、イエロートナー像が転写され、続いて、マゼンダトナー像、シアントナー像、ブラックトナー像が順次重畳して転写されるものとするが、これに限定されるものではない。
【００２１】
給紙部１０５は、複数の用紙が重ね合わせて収容されており、収容されている用紙を給紙する。
【００２２】
搬送ローラ対１０６は、給紙部１０５により給紙された用紙を搬送路ａ上で矢印ｓ方向に搬送する。
【００２３】
二次転写ローラ１０４は、転写ベルト１０３により搬送されたフルカラーのトナー画像を、搬送ローラ対１０６により搬送された用紙上に二次転写位置で一括転写する。
【００２４】
定着ローラ１０７は、フルカラーのトナー画像が転写された用紙を加熱及び加圧することにより、フルカラーのトナー画像を用紙に定着する。
【００２５】
印刷装置１００は、片面印刷の場合、フルカラーのトナー画像が定着された用紙である印刷物を印刷物検査装置２００へ排紙する。一方、印刷装置１００は、両面印刷の場合、フルカラーのトナー画像が定着された用紙を反転パス１０８へ送る。
【００２６】
反転パス１０８は、送られた用紙をスイッチバックすることにより用紙の表面・裏面を反転して矢印ｔ方向に搬送する。反転パス１０８により搬送された用紙は、搬送ローラ対１０６により再搬送され、二次転写ローラ１０４により前回と逆側の面にフルカラーのトナー画像が転写され、定着ローラ１０７により定着され、印刷物として、印刷物検査装置２００へ排紙される。
【００２７】
図２に示すように、印刷物検査装置２００は、読取部２０１Ａ、２０１Ｂと、オペレーションパネル２０３と、を備える。
【００２８】
オペレーションパネル２０３は、印刷物検査装置２００に対して各種操作入力を行ったり、各種画面を表示したりする操作表示部である。なお、オペレーションパネル２０３を省略してもよい。この場合、オペレーションパネル１０１がオペレーションパネル２０３を兼ねるようにしてもよいし、ＰＣ５がオペレーションパネル２０３を兼ねるようにしてもよい。
【００２９】
読取部２０１Ａは、印刷装置１００から給紙された印刷物の一方の面（本実施形態では、表面）を電気的に読み取り、読取部２０１Ｂは、当該印刷物の他方の面（本実施形態では、裏面）を電気的に読み取る。読取部２０１Ａ、２０１Ｂは、例えば、ラインスキャナ等により実現できる。そして印刷物検査装置２００は、読み取りが完了した印刷物をスタッカ３００へ排紙する。
【００３０】
スタッカ３００は、トレイ３０１（スタック部の一例）を備える。スタッカ３００は、印刷物検査装置２００により排紙された印刷物をトレイ３０１にスタックする。
【００３１】
図３は、本実施形態のＤＦＥ１０のハードウェア構成の一例を示すブロック図である。図３に示すように、ＤＦＥ１０は、ＣＰＵ（Central  Processing  Unit）やＧＰＵ（Graphics  Processing  Unit）などの制御装置１１と、ＲＯＭ（Read  Only  Memory）やＲＡＭ（Random  Access  Memory）などの主記憶装置１２と、ＨＤＤ（Hard  Disk  Drive）やＳＳＤ（Solid  State  Drive）などの補助記憶装置１３と、ディスプレイなどの表示装置１４と、マウス、キーボード、又はタッチパネルなどの入力装置１５と、ネットワーク２を介した通信用のネットワークインタフェース（Ｉ／Ｆ）１６と、通信線３を介した通信用の専用インタフェース（Ｉ／Ｆ）１７と、を備えており、通常のコンピュータを利用したハードウェア構成となっている。なお、補助記憶装置１３、表示装置１４、入力装置１５、及び通信装置１６は、内蔵されていても外付けであってもどちらでもよい。
【００３２】
図４は、本実施形態の印刷装置１００のハードウェア構成の一例を示すブロック図である。図４に示すように、印刷装置１００は、コントローラ１１０とエンジン部（Engine）１６０とをＰＣＩバスで接続した構成となる。コントローラ１１０は、印刷装置１００の全体の制御、描画、通信、及び操作表示部１２０からの入力を制御するコントローラである。エンジン部１６０は、ＰＣＩバスに接続可能なエンジンであり、例えば、スキャナ等のスキャナエンジンなどである。エンジン部１６０には、エンジン部分に加えて、誤差拡散やガンマ変換などの画像処理部分も含まれる。
【００３３】
コントローラ１１０は、ＣＰＵ１１１と、ノースブリッジ（ＮＢ）１１３と、システムメモリ（ＭＥＭ−Ｐ）１１２と、サウスブリッジ（ＳＢ）１１４と、ローカルメモリ（ＭＥＭ−Ｃ）１１７と、ＡＳＩＣ（Application  Specific  Integrated  Circuit）１１６と、ＨＤＤ１１８とを有し、ノースブリッジ（ＮＢ）１１３とＡＳＩＣ１１６との間をＡＧＰ（Accelerated  Graphics  Port）バス１１５で接続した構成となる。また、ＭＥＭ−Ｐ１１２は、ＲＯＭ１１２ａと、ＲＡＭ１１２ｂとをさらに有する。
【００３４】
ＣＰＵ１１１は、印刷装置１００の全体制御を行うものであり、ＮＢ１１３、ＭＥＭ−Ｐ１１２およびＳＢ１１４からなるチップセットを有し、このチップセットを介して他の機器と接続される。
【００３５】
ＮＢ１１３は、ＣＰＵ１１１とＭＥＭ−Ｐ１１２、ＳＢ１１４、ＡＧＰバス１１５とを接続するためのブリッジであり、ＭＥＭ−Ｐ１１２に対する読み書きなどを制御するメモリコントローラと、ＰＣＩマスタおよびＡＧＰターゲットとを有する。
【００３６】
ＭＥＭ−Ｐ１１２は、プログラムやデータの格納用メモリ、プログラムやデータの展開用メモリ、プリンタの描画用メモリなどとして用いるシステムメモリであり、ＲＯＭ１１２ａとＲＡＭ１１２ｂとからなる。ＲＯＭ１１２ａは、プログラムやデータの格納用メモリとして用いる読み出し専用のメモリであり、ＲＡＭ１１２ｂは、プログラムやデータの展開用メモリ、プリンタの描画用メモリなどとして用いる書き込みおよび読み出し可能なメモリである。
【００３７】
ＳＢ１１４は、ＮＢ１１３とＰＣＩデバイス、周辺デバイスとを接続するためのブリッジである。このＳＢ１１４は、ＰＣＩバスを介してＮＢ１１３と接続されており、このＰＣＩバスには、ネットワーク２を介した通信用のネットワークインタフェース（Ｉ／Ｆ）１３０と、通信線３を介した通信用の専用インタフェース（Ｉ／Ｆ）１４０なども接続されている。
【００３８】
ＡＳＩＣ１１６は、画像処理用のハードウェア要素を有する画像処理用途向けのＩＣ（Integrated  Circuit）であり、ＡＧＰバス１１５、ＰＣＩバス、ＨＤＤ１１８およびＭＥＭ−Ｃ１１７をそれぞれ接続するブリッジの役割を有する。このＡＳＩＣ１１６は、ＰＣＩターゲットおよびＡＧＰマスタと、ＡＳＩＣ１１６の中核をなすアービタ（ＡＲＢ）と、ＭＥＭ−Ｃ１１７を制御するメモリコントローラと、ハードウェアロジックなどにより画像データの回転などをおこなう複数のＤＭＡＣ（Direct  Memory  Access  Controller）と、エンジン部１６０との間でＰＣＩバスを介したデータ転送をおこなうＰＣＩユニットとからなる。操作表示部１２０はＡＳＩＣ１１６に直接接続されている。
【００３９】
ＭＥＭ−Ｃ１１７は、コピー用画像バッファ、符号バッファとして用いるローカルメモリであり、ＨＤＤ１１８は、画像データの蓄積、プログラムの蓄積、フォントデータの蓄積、フォームの蓄積を行うためのストレージである。
【００４０】
ＡＧＰバス１１５は、グラフィック処理を高速化するために提案されたグラフィックスアクセラレーターカード用のバスインターフェースであり、ＭＥＭ−Ｐ１１２に高スループットで直接アクセスすることにより、グラフィックスアクセラレーターカードを高速にするものである。
【００４１】
図５は、本実施形態の印刷物検査装置２００のハードウェア構成の一例を示すブロック図である。図５に示すように、印刷物検査装置２００は、コントローラ２１０とエンジン部（Engine）２６０とをＰＣＩバスで接続した構成となる。コントローラ２１０は、印刷物検査装置２００の全体の制御、描画、通信、及び操作表示部２２０からの入力を制御するコントローラである。エンジン部２６０は、ＰＣＩバスに接続可能なエンジンであり、例えば、スキャナ等のスキャナエンジンなどである。エンジン部２６０には、エンジン部分に加えて、誤差拡散やガンマ変換などの画像処理部分も含まれる。
【００４２】
コントローラ２１０は、ＣＰＵ２１１と、ノースブリッジ（ＮＢ）２１３と、システムメモリ（ＭＥＭ−Ｐ）２１２と、サウスブリッジ（ＳＢ）２１４と、ローカルメモリ（ＭＥＭ−Ｃ）２１７と、ＡＳＩＣ（Application  Specific  Integrated  Circuit）２１６と、ＨＤＤ２１８とを有し、ノースブリッジ（ＮＢ）２１３とＡＳＩＣ２１６との間をＡＧＰ（Accelerated  Graphics  Port）バス２１５で接続した構成となる。また、ＭＥＭ−Ｐ２１２は、ＲＯＭ２１２ａと、ＲＡＭ２１２ｂとをさらに有する。
【００４３】
ＣＰＵ２１１は、印刷物検査装置２００の全体制御を行うものであり、ＮＢ２１３、ＭＥＭ−Ｐ２１２およびＳＢ２１４からなるチップセットを有し、このチップセットを介して他の機器と接続される。
【００４４】
ＮＢ２１３は、ＣＰＵ２１１とＭＥＭ−Ｐ２１２、ＳＢ２１４、ＡＧＰバス２１５とを接続するためのブリッジであり、ＭＥＭ−Ｐ２１２に対する読み書きなどを制御するメモリコントローラと、ＰＣＩマスタおよびＡＧＰターゲットとを有する。
【００４５】
ＭＥＭ−Ｐ２１２は、プログラムやデータの格納用メモリ、プログラムやデータの展開用メモリ、プリンタの描画用メモリなどとして用いるシステムメモリであり、ＲＯＭ２１２ａとＲＡＭ２１２ｂとからなる。ＲＯＭ２１２ａは、プログラムやデータの格納用メモリとして用いる読み出し専用のメモリであり、ＲＡＭ２１２ｂは、プログラムやデータの展開用メモリ、プリンタの描画用メモリなどとして用いる書き込みおよび読み出し可能なメモリである。
【００４６】
ＳＢ２１４は、ＮＢ２１３とＰＣＩデバイス、周辺デバイスとを接続するためのブリッジである。このＳＢ２１４は、ＰＣＩバスを介してＮＢ２１３と接続されており、このＰＣＩバスには、ネットワーク２を介した通信用のネットワークインタフェース（Ｉ／Ｆ）２３０と、通信線３を介した通信用の専用インタフェース（Ｉ／Ｆ）２４０なども接続されている。
【００４７】
ＡＳＩＣ２１６は、画像処理用のハードウェア要素を有する画像処理用途向けのＩＣ（Integrated  Circuit）であり、ＡＧＰバス２１５、ＰＣＩバス、ＨＤＤ２１８およびＭＥＭ−Ｃ２１７をそれぞれ接続するブリッジの役割を有する。このＡＳＩＣ２１６は、ＰＣＩターゲットおよびＡＧＰマスタと、ＡＳＩＣ２１６の中核をなすアービタ（ＡＲＢ）と、ＭＥＭ−Ｃ２１７を制御するメモリコントローラと、ハードウェアロジックなどにより画像データの回転などをおこなう複数のＤＭＡＣ（Direct  Memory  Access  Controller）と、エンジン部２６０との間でＰＣＩバスを介したデータ転送をおこなうＰＣＩユニットとからなる。操作表示部２２０はＡＳＩＣ２１６に直接接続されている。
【００４８】
ＭＥＭ−Ｃ２１７は、コピー用画像バッファ、符号バッファとして用いるローカルメモリであり、ＨＤＤ２１８は、画像データの蓄積、プログラムの蓄積、フォントデータの蓄積、フォームの蓄積を行うためのストレージである。
【００４９】
ＡＧＰバス２１５は、グラフィック処理を高速化するために提案されたグラフィックスアクセラレーターカード用のバスインターフェースであり、ＭＥＭ−Ｐ２１２に高スループットで直接アクセスすることにより、グラフィックスアクセラレーターカードを高速にするものである。
【００５０】
図６は、本実施形態のＤＦＥ１０、印刷装置１００、及び印刷物検査装置２００の機能構成の一例を示すブロック図である。
【００５１】
図６に示すように、ＤＦＥ１０は、受付部７１と、印刷管理情報生成部７３と、ＲＩＰ（Raster  Image  Processor）部７５と、を含む。
【００５２】
受付部７１は、例えば、制御装置１１、主記憶装置１２、及びネットワークＩ／Ｆ１６などにより実現でき、印刷管理情報生成部７３及びＲＩＰ部７５は、例えば、制御装置１１、主記憶装置１２、及び専用Ｉ／Ｆ１７などにより実現できる。なお、ＲＩＰ部７５は、ＩＣなどのハードウェアを併用して実現してもよい。
【００５３】
また図６に示すように、印刷装置１００は、受付部１７１と、印刷管理情報生成部１７３と、ＲＩＰ部１７５（位置報知画像生成部の一例）と、処理部１７７（元画像出力部及び印刷管理情報出力部の一例）と、印刷部１７９と、を含む。
【００５４】
受付部１７１は、例えば、ＣＰＵ１１１、システムメモリ１１２、及びネットワークＩ／Ｆ１３０などにより実現できる。印刷管理情報生成部１７３及びＲＩＰ部１７５は、例えば、ＣＰＵ１１１及びシステムメモリ１１２などにより実現できる。なお、ＲＩＰ部１７５は、ＩＣなどのハードウェアを併用して実現してもよい。処理部１７７は、例えば、ＣＰＵ１１１、システムメモリ１１２、及び専用Ｉ／Ｆ１４０などにより実現できる。印刷部１７９は、例えば、感光体ドラム１０２Ｙ、１０２Ｍ、１０２Ｃ、１０２Ｋ、転写ベルト１０３、二次転写ローラ１０４、給紙部１０５、搬送ローラ対１０６、定着ローラ１０７、及びエンジン部１６０などにより実現できる。
【００５５】
また図６に示すように、印刷物検査装置２００は、画像取得部２７１と、印刷管理情報取得部２７３と、マスター画像生成部２７５と、読取部２７７と、検査部２８１と、記憶部２８３と、印刷ジョブ生成部２８５（生成用画像生成部の一例）と、通知部２８７と、を含む。
【００５６】
画像取得部２７１及び印刷管理情報取得部２７３は、例えば、ＣＰＵ２１１、システムメモリ２１２、及び専用Ｉ／Ｆ２４０などにより実現できる。マスター画像生成部２７５及び印刷ジョブ生成部２８５は、例えば、ＣＰＵ２１１及びシステムメモリ２１２などにより実現できる。なお、マスター画像生成部２７５は、ＩＣなどのハードウェアを併用して実現してもよい。読取部２７７は、例えば、読取部２０１Ａ、読取部２０１Ｂ、ＣＰＵ２１１、システムメモリ２１２、及びエンジン部２６０などにより実現できる。検査部２８１は、例えば、ＣＰＵ２１１、システムメモリ２１２、及びＡＳＩＣ２１６などにより実現できる。記憶部２８３は、例えば、システムメモリ２１２やＨＤＤ２１８などにより実現できる。通知部２８７は、例えば、ＣＰＵ２１１、システムメモリ２１２、及びネットワークＩ／Ｆ２３０などにより実現できる。
【００５７】
受付部７１は、ＰＣ５から印刷ジョブを受け付ける。なお、受付部７１は、ＰＣ５以外の装置から印刷ジョブを受け付けてもよいし、ＤＦＥ１０内部で生成された印刷ジョブを受け付けてもよい。
【００５８】
印刷管理情報生成部７３は、受付部７１により受け付けられた印刷ジョブに基づいて、当該印刷ジョブを管理する印刷管理情報を生成し、生成した印刷管理情報を印刷装置１００に出力する。
【００５９】
ＲＩＰ部７５は、受付部７１により受け付けられた印刷ジョブに基づいて、印刷物の生成元となる（印刷の基礎となる）元画像をページ毎に生成し、生成した元画像を印刷装置１００に出力する。本実施形態では、印刷装置１００が印刷管理情報に基づいて出力対象の元画像のページをＲＩＰ部７５に通知するので、ＲＩＰ部７５は、印刷ジョブに基づいて、通知されたページの元画像を生成し、印刷装置１００に出力する。例えば、ＲＩＰ部７５は、印刷ジョブをＲＩＰ処理し、元画像としてＲＩＰ画像（ビットマップ画像）を生成する。
【００６０】
本実施形態では、印刷ジョブは、PostScript（登録商標）などのページ記述言語（ＰＤＬ：Page  Description  Language）で記述されたデータやＴＩＦＦ（Tagged  Image  File  Format）形式の画像データなどを含んで構成されるが、これに限定されるものではない。また本実施形態では、元画像は、ＣＭＹＫのＲＩＰ画像であり、Ｃ（Ｃｙａｎ）、Ｍ（ＭＡｇｅｎｔａ）、Ｙ（Ｙｅｌｌｏｗ）、Ｋ（Ｂｌａｃｋ）それぞれのＲＩＰ画像データの各画素が１ｂｉｔの６００ｄｐｉであるものとするが、これに限定されるものではない。
【００６１】
受付部１７１は、印刷物検査装置２００から位置報知印刷物生成用の印刷ジョブを受け付ける。位置報知印刷物は、位置報知の対象となる印刷物の位置を報知するための印刷物である。本実施形態では、位置報知の対象となる印刷物が、ページ欠陥が有る印刷物、当該印刷物を含む部における最終ページの印刷物、及び当該印刷物を含むジョブにおける最終ページの印刷物のいずれかである場合を例に取り説明するが、これに限定されるものではない。
【００６２】
印刷管理情報生成部１７３は、受付部１７１により受け付けられた位置報知印刷物生成用の印刷ジョブに基づいて、当該印刷ジョブを管理する印刷管理情報を生成し、生成した印刷管理情報を処理部１７７に出力する。
【００６３】
ＲＩＰ部１７５は、受付部１７１により受け付けられた位置報知印刷物生成用の印刷ジョブに基づいて、位置報知印刷物の生成元となる位置報知画像を生成し、生成した位置報知画像を処理部１７７に出力する。本実施形態では、印刷装置１００が印刷管理情報に基づいて位置報知画像の出力をＲＩＰ部１７５に要求するので、ＲＩＰ部１７５は、位置報知印刷物生成用の印刷ジョブに基づいて、位置報知画像を生成し、処理部１７７に出力する。例えば、ＲＩＰ部１７５は、位置報知印刷物生成用の印刷ジョブをＲＩＰ処理し、位置報知画像としてＲＩＰ画像（ビットマップ画像）を生成する。
【００６４】
本実施形態では、位置報知印刷物生成用の印刷ジョブも、PostScriptなどのページ記述言語（ＰＤＬ）で記述されたデータやＴＩＦＦ形式の画像データなどを含んで構成されるが、これに限定されるものではない。また本実施形態では、位置報知画像も、ＣＭＹＫのＲＩＰ画像であり、Ｃ、Ｍ、Ｙ、ＫそれぞれのＲＩＰ画像データの各画素が１ｂｉｔの６００ｄｐｉであるものとするが、これに限定されるものではない。
【００６５】
処理部１７７は、ＤＦＥ１０や印刷管理情報生成部１７３から印刷管理情報を取得し、保持（例えば、システムメモリ１１２に保持）する。そして処理部１７７は、保持している印刷管理情報の中から最も優先度の高い印刷ジョブの印刷管理情報を選択し、選択した印刷管理情報を更新し、更新した印刷管理情報及び当該更新した印刷管理情報に基づく画像を印刷部１７９へ出力するとともに、当該更新した印刷管理情報及び当該画像を印刷物検査装置２００へ出力する。
【００６６】
なお処理部１７７は、更新した印刷管理情報がＤＦＥ１０から取得した印刷管理情報（位置報知印刷物生成用の印刷ジョブを管理する印刷管理情報以外の印刷管理情報）である場合、更新した印刷管理情報が示す元画像のページをＤＦＥ１０に通知して、当該ページの元画像を取得し、印刷部１７９へ出力する。
【００６７】
また処理部１７７は、更新した印刷管理情報が印刷管理情報生成部１７３から取得した印刷管理情報（位置報知印刷物生成用の印刷ジョブを管理する印刷管理情報）である場合、更新した印刷管理情報が示す位置報知画像をＲＩＰ部１７５に要求して、当該位置報知画像を取得し、印刷部１７９へ出力する。
【００６８】
ここで、印刷管理情報について説明する。図７は、本実施形態の印刷管理情報の一例を示す図である。図７に示すように、本実施形態の印刷管理情報は、項目と、備考と、値と、を含む。但し、備考は、項目が取り得る値の説明であるため、省略してもよい。
【００６９】
項目としては、例えば、図７に示すように、生成元、生成時刻、ページＩＤ、印刷面、用紙ＩＤ（用紙識別情報の一例）、部ＩＤ、ジョブＩＤ、用紙種類、用紙サイズ、ページ、ページ数、部、部数、ジョブ優先度、ジョブ状態、位置報知印刷種別、及び位置報知対象用紙ＩＤなどが挙げられるが、これらに限定されるものではない。
【００７０】
生成元は、印刷管理情報の生成元（出力ソース）であり、値は、ＤＦＥ１０か内部（印刷装置１００）かを示す。なお、生成元の値は、印刷管理情報の生成元の印刷管理情報生成部が設定する。
【００７１】
生成時刻は、印刷管理情報が生成された時刻であり、値は、当該時刻を示す。なお、生成時刻の値は、印刷管理情報の生成元の印刷管理情報生成部が設定する。
【００７２】
ページＩＤは、印刷装置１００で印刷される印刷物全体での印刷ページを識別する識別情報である。値は、印刷装置１００の電源オン時が０であり、１ページの出力（印刷）毎に、１加算される。なお、ページＩＤの値は、処理部１７７が設定する。
【００７３】
印刷面は、元画像や位置報知画像が用紙に印刷される際の印刷面であり、値は、片面、両面表、又は両面裏を示す。片面は、片面印刷時の用紙の表面を表し、両面表は、両面印刷時の用紙の表面を表し、両面裏は、両面印刷時の用紙の裏面を表す。なお、印刷面の値は、印刷管理情報の生成元の印刷管理情報生成部が設定する。
【００７４】
用紙ＩＤは、印刷装置１００で使用される用紙を識別する識別情報である。値は、印刷装置１００の電源オン時が０であり、１枚の出力（印刷）毎に、１加算される。つまり、用紙ＩＤは、元画像が印刷された用紙を識別する識別子としての役割を担う。なお、用紙ＩＤの値は、処理部１７７が設定する。
【００７５】
部ＩＤは、印刷装置１００で印刷される印刷物全体での部数を識別する識別情報である。値は、印刷装置１００の電源オン時が０であり、１部の出力（印刷）毎に、１加算される。なお、部ＩＤの値は、処理部１７７が設定する。
【００７６】
ジョブＩＤは、印刷装置１００で印刷される印刷物全体でのジョブ数を識別する識別情報である。値は、印刷装置１００の電源オン時が０であり、１ジョブの出力（印刷）毎に、１加算される。なお、ジョブＩＤの値は、処理部１７７が設定する。
【００７７】
用紙種類は、印刷に使用する用紙の種類であり、値は、当該種類を示す。なお、用紙種類の値は、印刷管理情報の生成元の印刷管理情報生成部が設定する。
【００７８】
用紙サイズは、印刷に使用する用紙のサイズであり、値は、当該サイズを示す。なお、用紙サイズの値は、印刷管理情報の生成元の印刷管理情報生成部が設定する。
【００７９】
ページは、部の何ページ目かであり、値は、部の何ページ目を示す。なお、ページの値は、印刷管理情報の生成元の印刷管理情報生成部が設定する。
【００８０】
ページ数は、部のページ数（全ページ数）であり、値は、部におけるページ数を示す。なお、ページ数の値は、印刷管理情報の生成元の印刷管理情報生成部が設定する。
【００８１】
部は、印刷ジョブで出力する部数（印刷ジョブで出力する全印刷部数）の何部目かであり、値は、印刷ジョブで出力する部数の何部目かを示す。なお、部の値は、印刷管理情報の生成元の印刷管理情報生成部が設定する。
【００８２】
部数は、印刷ジョブで出力する部数（印刷ジョブで出力する全印刷部数）であり、値は、印刷ジョブで出力する部数を示す。なお、部数の値は、印刷管理情報の生成元の印刷管理情報生成部が設定する。
【００８３】
ジョブ優先度は、印刷ジョブの優先度であり、値は、当該優先度を示す。優先度は、数字が小さいほど優先順位が高くなる。本実施形態では、優先度が０〜９の場合、次に出力可能なページの切れ目で当該印刷ジョブが処理され、優先度が１０〜１９の場合、次に出力可能な部の切れ目で当該印刷ジョブが処理され、優先度が２０〜２９の場合、次に出力可能な印刷ジョブの切れ目で当該印刷ジョブが処理され、優先度が３０〜９９の場合、次に出力可能なタイミングで当該印刷ジョブが処理される。なお、ジョブ優先度は、印刷管理情報の生成元の印刷管理情報生成部が設定する。本実施形態では、ＰＣ５からの印刷ジョブの場合、即ち、印刷管理情報生成部７３がジョブ優先度の値を設定する場合、値は４０であり、印刷物検査装置２００からの位置報知印刷物生成用の印刷ジョブの場合、即ち、印刷管理情報生成部１７３がジョブ優先度の値を設定する場合、値は０、１０、又は２０であるものとするが、これに限定されるものではない。
【００８４】
ジョブ状態は、印刷ジョブの処理状態であり、値は、未処理、印刷中、印刷完了（欠陥無）、印刷完了（欠陥有）、又はジャムを示す。未処理は、印刷処理が未処理であることを表し、印刷中は、印刷処理済みであって排紙が未完了であることを表し、印刷完了（欠陥無）は、印刷処理済みかつ排紙が完了であって、排紙した印刷物に欠陥が無いことを表し、印刷完了（欠陥有）は、印刷処理済みかつ排紙が完了であって、排紙した印刷物に欠陥が有ることを表し、ジャムは、印刷処理済みであってジャムが発生していることを表す。なお、ジョブ状態は、印刷管理情報の生成元の印刷管理情報生成部が設定し、処理部１７７が更新する。
【００８５】
位置報知印刷種別は、位置報知印刷物を生成する位置報知印刷の種別であり、値は、オフ、ページ毎、部毎、又はジョブ毎を示す。オフは、位置報知印刷を行わないことを表し、ページ毎は、位置報知対象の印刷物が生成された場合に、ページ単位で位置報知印刷を行うことを表し、部毎は、位置報知対象の印刷物が生成された場合に、部単位で位置報知印刷を行うことを表し、ジョブ毎は、位置報知対象の印刷物が生成された場合に、ジョブ単位で位置報知印刷を行うことを表す。なお、位置報知印刷種別は、ユーザによりオペレーションパネル１０１やオペレーションパネル２０３などから入力された位置報知印刷種別の設定に基づいて、印刷管理情報の生成元の印刷管理情報生成部が設定する。
【００８６】
位置報知対象用紙ＩＤは、位置報知の対象となる印刷物の用紙ＩＤであり、値は、当該ＩＤを示す。位置報知対象用紙ＩＤの値は、印刷管理情報生成部１７３が設定する。
【００８７】
図６に戻り、印刷部１７９は、処理部１７７から元画像及び印刷管理情報が出力されると、当該印刷管理情報に従って用紙を搬送するとともに、作像プロセスなどの印刷処理プロセスを実行し、当該元画像を当該用紙に印刷することで印刷物を生成する。
【００８８】
具体的には、印刷部１７９は、片面印刷の場合、処理部１７７から１組の元画像及び印刷管理情報が出力されると、当該印刷管理情報に従って用紙を搬送するとともに、当該元画像を当該用紙の印刷面（表面）に印刷することで印刷物を生成する。
【００８９】
また印刷部１７９は、両面印刷の場合、処理部１７７から２組の元画像及び印刷管理情報が出力されると、当該２つの印刷管理情報に従って用紙を搬送するとともに、当該２つの元画像それぞれを当該用紙の該当する印刷面（表面、裏面）に印刷することで印刷物を生成する。
【００９０】
つまり、印刷部１７９は、Ｎ（Ｎ≧１）ページ分の元画像をＭ（Ｍ≧１）枚の用紙に印刷して、Ｍ枚の印刷物を生成する。なお、図７に示す印刷管理情報の場合、Ｎの値は、ページＩＤ以下の値となる。より詳細には、Ｎの値は、生成元の値が内部となる最初の印刷管理情報の１つ前の印刷管理情報のページＩＤであることを想定しているが、これに限定されるものではない。また、Ｍの値は、Ｎ／２≦Ｍ≦Ｎとなる。具体的には、ページＩＤの値がＮとなるまで、印刷装置１００による印刷が全て片面印刷であれば、Ｍ＝Ｎとなり、ページＩＤの値がＮとなるまで、印刷装置１００による印刷が全て両面印刷であり、全ての用紙の両面に印刷が行われれば、Ｍ＝Ｎ／２となる。
【００９１】
また、印刷部１７９は、処理部１７７から位置報知画像及び印刷管理情報が出力されると、当該印刷管理情報に従って用紙を搬送するとともに、作像プロセスなどの印刷処理プロセスを実行し、当該位置報知画像を当該用紙に印刷することで位置報知印刷物を生成する。
【００９２】
画像取得部２７１は、印刷装置１００により印刷物が生成される毎に、印刷装置１００から当該印刷物の生成元の元画像を取得する。従って、画像取得部２７１は、印刷装置１００（処理部１７７）から、Ｎページ分の元画像を取得する。
【００９３】
具体的には、画像取得部２７１は、印刷装置１００により印刷物又は位置報知印刷物が生成されると、印刷装置１００（処理部１７７）から当該印刷物の生成元の元画像又は当該位置報知印刷物の生成元の位置報知画像（本実施形態では、いずれも、Ｃ、Ｍ、Ｙ、ＫそれぞれのＲＩＰ画像）を取得する。
【００９４】
なお、画像取得部２７１は、生成された印刷物又は位置報知印刷物が片面印刷の場合、印刷装置１００から当該印刷物又は位置報知印刷物の生成元の１つ画像を取得し、生成された印刷物が両面印刷の場合、印刷装置１００から当該印刷物の生成元の２つ元画像を取得する。
【００９５】
印刷管理情報取得部２７３は、印刷装置１００により印刷物が生成される毎に、印刷装置１００から当該印刷物の生成元の元画像の印刷管理情報を取得する。従って、印刷管理情報取得部２７３は、印刷装置１００（処理部１７７）から、元画像毎に当該元画像の印刷管理情報を取得する。
【００９６】
具体的には、印刷管理情報取得部２７３は、印刷装置１００により印刷物又は位置報知印刷物が生成されると、印刷装置１００（処理部１７７）から当該印刷物の生成元の元画像又は当該位置報知印刷物の生成元の位置報知画像の印刷管理情報を取得し、マスター画像生成部２７５、読取部２７７、及び印刷ジョブ生成部２８５へ出力する。
【００９７】
なお、印刷管理情報取得部２７３は、生成された印刷物又は位置報知印刷物が片面印刷の場合、印刷装置１００から当該印刷物又は位置報知印刷物の生成元の１つ画像の印刷管理情報を取得し、生成された印刷物が両面印刷の場合、印刷装置１００から当該印刷物の生成元の２つの元画像それぞれの印刷管理情報を取得する。
【００９８】
また、印刷管理情報取得部２７３は、取得した印刷管理情報の中に後処理機（本実施形態では、スタッカ３００）が必要とする情報が含まれている場合、当該情報については、後処理機に出力し、当該情報を除いた印刷管理情報をマスター画像生成部２７５、読取部２７７、及び印刷ジョブ生成部２８５へ出力してもよい。
【００９９】
マスター画像生成部２７５は、画像取得部２７１により取得された画像に基づいて、マスター画像を生成する。具体的には、マスター画像生成部２７５は、画像取得部２７１により取得されたＣ、Ｍ、Ｙ、ＫそれぞれのＲＩＰ画像に対し、多値変換処理、ドットゲイン補正処理、平滑化処理、解像度変換処理、及び色変換処理などの各種画像処理を施して、マスター画像を生成する。そしてマスター画像生成部２７５は、生成したマスター画像に、印刷管理情報取得部２７３から出力された印刷管理情報を対応付けて、検査部２８１へ出力する。
【０１００】
本実施形態では、マスター画像は、ＲＧＢの画像データであり、Ｒ、Ｇ、Ｂそれぞれの画像データの各画素が８ｂｉｔの２００ｄｐｉであるものとするが、これに限定されるものではない。
【０１０１】
読取部２７７は、印刷部１７９により生成された印刷物を読み取って、読取画像を生成する。具体的には、読取部２７７は、印刷管理情報取得部２７３から出力された印刷管理情報に従って、印刷物から、当該印刷管理情報が示す印刷面を電子的に読み取って、読取画像を生成する。そして読取部２７７は、生成した読取画像に印刷管理情報取得部２７３から出力された印刷管理情報を対応付けて、検査部２８１へ出力する。
【０１０２】
なお、読取対象の印刷物が片面印刷の場合、読取部２７７は、印刷管理情報取得部２７３から出力された１つの印刷管理情報に従って、印刷物から、当該１つの印刷管理情報が示す印刷面（表面）を電子的に読み取って、読取画像を生成する。そして読取部２７７は、生成した読取画像に当該１つの印刷管理情報を対応付けて、検査部２８１へ出力する。
【０１０３】
また、読取対象の印刷物が両面印刷の場合、読取部２７７は、印刷管理情報取得部２７３から出力された２つの印刷管理情報に従って、印刷物から、当該２つの印刷管理情報それぞれが示す印刷面（表面及び裏面）を電子的に読み取って、２つの読取画像を生成する。そして読取部２７７は、生成した２つの読取画像それぞれに、当該２つの印刷管理情報のうち該当する印刷管理情報を対応付けて、検査部２８１へ出力する。
【０１０４】
つまり、読取部２７７は、印刷物毎に、当該印刷物の１以上の印刷面をそれぞれ読み取った１以上の読取画像を生成する。
【０１０５】
また読取部２７７は、印刷部１７９により生成された位置報知印刷物を読み取って、読取画像を生成する。具体的には、読取部２７７は、印刷管理情報取得部２７３から出力された印刷管理情報に従って、位置報知印刷物から、当該印刷管理情報が示す印刷面を電子的に読み取って、読取画像を生成する。そして読取部２７７は、生成した読取画像に印刷管理情報取得部２７３から出力された印刷管理情報を対応付けて、検査部２８１へ出力する。
【０１０６】
本実施形態では、読取画像は、ＲＧＢの画像データであり、Ｒ、Ｇ、Ｂそれぞれの画像データの各画素が８ｂｉｔの２００ｄｐｉであるものとするが、これに限定されるものではない。
【０１０７】
また、読取部２７７により読み取られた印刷物は、スタッカ３００に排紙される。これによりスタッカ３００のトレイ３０１には、印刷装置１００により生成された印刷物及び位置報知印刷物が生成順にスタックされる。
【０１０８】
検査部２８１は、マスター画像生成部２７５から出力されたマスター画像と、読取部２７７から出力された読取画像とを比較して、当該読取画像の生成元の印刷物又は位置報知印刷物に欠陥が生じているか否かを検査する。
【０１０９】
なお、検査対象の印刷物又は位置報知印刷物が片面印刷の場合、検査部２８１は、読取部２７７から出力された１つの読取画像をマスター画像生成部２７５から出力された１つのマスター画像と比較して、当該１つの読取画像の生成元の印刷物又は位置報知印刷物の印刷面（表面）に欠陥が生じているか否かを検査する。
【０１１０】
また、検査対象の印刷物が両面印刷の場合、検査部２８１は、読取部２７７から出力された２つの読取画像それぞれをマスター画像生成部２７５から出力された２つのマスター画像のうち該当するマスター画像と比較して、当該２つの読取画像の生成元の印刷物の印刷面それぞれ（表面及び裏面）に欠陥が生じているか否かを検査する。
【０１１１】
つまり、検査部２８１は、印刷物毎に、１以上の読取画像と当該１以上の読取画像に対応する１以上の元画像とに基づいて、当該印刷物の１以上の印刷面の少なくともいずれかに欠陥が生じているか否かを検査する。
【０１１２】
具体的には、検査部２８１は、マスター画像生成部２７５から出力されたマスター画像及び印刷管理情報を対応付けて保持し、読取部２７７から読取画像及び印刷管理情報が出力されると、保持しているマスター画像の中から、当該読取画像に対応付けられた印刷管理情報と一致する印刷管理情報に対応付けられたマスター画像を取得する。
【０１１３】
そして検査部２８１は、読取部２７７から出力された読取画像と取得したマスター画像との位置合わせを行い、位置合わせ後の読取画像とマスター画像とを画素単位で比較し、ＲＧＢ各色８ｂｉｔの画素値の差分値を画素毎に算出し、画素毎の画素値の差分値で構成される差分画像を生成する。
【０１１４】
更に検査部２８１は、生成した差分画像に対して、点状欠陥の差分閾値を用いた判定を行い、点状欠陥の差分閾値を用いた判定結果に対して、点状欠陥の面積閾値を用いた判定を行う。
【０１１５】
点状欠陥の差分閾値は、差分画像の各画素に対する閾値であり、この閾値を超えた画素が点状欠陥の異常画素と判定される。点状欠陥の異常画素が、ある一定の範囲内に複数ある場合は、点状欠陥の１つの異常画素群として扱われる。点状欠陥の面積閾値は、点状欠陥の１つの異常画素群に含まれる点状欠陥の異常画素の画素数に対する閾値であり、点状欠陥の異常画素の画素数がこの閾値を超えた場合、当該異常画素群は、点状欠陥と判定される。
【０１１６】
また検査部２８１は、生成した差分画像に対して、線状欠陥の差分閾値を用いた判定を行い、線状欠陥の差分閾値を用いた判定結果に対して、線状欠陥の面積閾値を用いた判定を行う。
【０１１７】
線状欠陥の差分閾値は、差分画像の各画素に対する閾値であり、この閾値を超えた画素が線状欠陥の異常画素と判定される。線状欠陥の異常画素が、ある一定の範囲内に複数ある場合は、線状欠陥の１つの異常画素群として扱われる。線状欠陥の面積閾値は、線状欠陥の１つの異常画素群に含まれる線状欠陥の異常画素の画素数に対する閾値であり、線状欠陥の異常画素の画素数がこの閾値を超えた場合、当該異常画素群は、線状欠陥と判定される。
【０１１８】
また検査部２８１は、生成した差分画像に対して、面状欠陥の差分閾値を用いた判定を行い、面状欠陥の差分閾値を用いた判定結果に対して、面状欠陥の面積閾値を用いた判定を行う。
【０１１９】
面状欠陥の差分閾値は、差分画像の各画素に対する閾値であり、この閾値を超えた画素が面状欠陥の異常画素と判定される。面状欠陥の異常画素が、ある一定の範囲内に複数ある場合は、面状欠陥の１つの異常画素群として扱われる。面状欠陥の面積閾値は、面状欠陥の１つの異常画素群に含まれる面状欠陥の異常画素の画素数に対する閾値であり、面状欠陥の異常画素の画素数がこの閾値を超えた場合、当該異常画素群は、面状欠陥と判定される。
【０１２０】
また検査部２８１は、欠陥毎に、当該欠陥に含まれる各異常画素の画素値と当該欠陥の差分閾値との差分の絶対値を算出し、算出した差分の絶対値の合計値に当該欠陥用の欠陥判定係数を乗じ、欠陥判定値を算出する。欠陥判定係数は、欠陥判定値の算出に用いられる係数である。
【０１２１】
そして検査部２８１は、各欠陥の欠陥判定値の合計値をページ欠陥判定閾値と比較するページ欠陥判定を行う。この結果、当該合計値がページ欠陥判定閾値以上の場合、検査部２８１は、差分画像の生成に用いられた読取画像の生成元の印刷物又は位置報知印刷物の印刷面、即ち、差分画像の生成に用いられた読取画像及びマスター画像に対応付けられた印刷管理情報のページＩＤが示す印刷ページをページ欠陥発生と判定する。ページ欠陥判定閾値は、欠陥判定値の合計値に対する閾値であり、この閾値を超えた印刷ページ（印刷物の印刷面）がページ欠陥発生と判定される。
【０１２２】
なお、検査部２８１の検査に用いられる各種閾値（点状欠陥の差分閾値、点状欠陥の面積閾値、線状欠陥の差分閾値、線状欠陥の面積閾値、面状欠陥の差分閾値、面状欠陥の面積閾値、点状欠陥の欠陥判定係数、線状欠陥の欠陥判定係数、面状欠陥の欠陥判定係数、及びページ欠陥判定閾値など）は、ユーザによりオペレーションパネル２０３などから設定可能となっている。
【０１２３】
また、本実施形態では説明を省略するが、各欠陥の差分閾値及び面積閾値については、欠陥判定用のものだけでなく、欠陥候補判定用のものも存在する。各欠陥の欠陥候補判定用の差分閾値及び面積閾値を用いて上述した検査を行えば、点状欠陥、線状欠陥、及び面状欠陥の欠陥候補も判定できる。
【０１２４】
そして検査部２８１は、検査が終わると、検査結果を示す検査結果情報を生成し、検査に用いた差分画像の生成に用いられた読取画像及びマスター画像を対応付けて記憶部２８３に記憶する。
【０１２５】
図８は、本実施形態の記憶部２８３に記憶される検査結果情報の一例を示す図である。図８に示す例では、検査結果情報は、ページＩＤ、用紙ＩＤ、印刷面、位置ズレＸ方向、位置ズレＹ方向、欠陥発生数、欠陥候補数、及びページ欠陥判定結果を含む。なお本実施形態では、検査結果情報は、ジョブ単位で記憶されるものとするが、これに限定されるものではない。
【０１２６】
ページＩＤ、用紙ＩＤ、及び印刷面は、印刷管理情報から抽出されたものである。位置ズレＸ方向は、マスター画像に対する読取画像のＸ軸方向での位置ズレ量を示し、位置ズレＹ方向は、マスター画像に対する読取画像のＹ軸方向での位置ズレ量を示す。位置ズレＸ方向及び位置ズレＹ方向は、読取画像とマスター画像との位置合わせ結果である。欠陥発生数は、ページＩＤが示す印刷ページ（用紙ＩＤ及び印刷面で特定される印刷物の印刷面）に発生した欠陥の数（点状欠陥、線状欠陥、及び面状欠陥の合計数）を表す。欠陥候補数は、ページＩＤが示す印刷ページ（用紙ＩＤ及び印刷面で特定される印刷物の印刷面）に発生した欠陥候補の数（点状欠陥候補、線状欠陥候補、及び面状欠陥候補の合計数）を表す。ページ欠陥判定結果は、ページＩＤが示す印刷ページ（用紙ＩＤ及び印刷面で特定される印刷物の印刷面）がページ欠陥ありか（良品か）無しか（不良品か）を示す。
【０１２７】
図９は、本実施形態の検査結果情報の一部として記憶部２８３に記憶される欠陥情報の一例を示す図である。欠陥情報は、ページＩＤが示す印刷ページ（用紙ＩＤ及び印刷面で特定される印刷物の印刷面）に発生した欠陥及び欠陥候補の詳細情報である。図９に示す例では、欠陥情報は、欠陥ＩＤ、欠陥種別、欠陥判定結果、Ｘ座標左上、Ｙ座標左上、Ｘサイズ、Ｙサイズ、面積、及び欠陥判定値を含む。なお本実施形態では、欠陥情報は、ページＩＤ単位で記憶されるものとするが、これに限定されるものではない。
【０１２８】
欠陥ＩＤは、欠陥の識別子である。欠陥種別は、欠陥の種別である。欠陥判定結果は、欠陥か欠陥候補かを示す。Ｘ座標左上は、欠陥の左上のＸ座標を示す。Ｙ座標左上は、欠陥の左上のＹ座標を示す。Ｘサイズは、欠陥のＸ軸方向での長さを示す。Ｙサイズは、欠陥のＹ軸方向での長さを示す。Ｘ座標左上、Ｙ座標左上、Ｘサイズ、及びＹサイズは、欠陥位置情報の一例であり、ページＩＤが示す印刷ページ（用紙ＩＤ及び印刷面で特定される印刷物の印刷面）を読み取って生成された読取画像上での欠陥ＩＤが示す欠陥の位置を示す。
【０１２９】
図６に戻り、印刷ジョブ生成部２８５は、印刷管理情報取得部２７３から出力された印刷管理情報の生成元の値がＤＦＥ１０であり、位置報知印刷種別の値がページ毎である場合、ページＩＤの値と値が一致するページＩＤの検査結果情報、及び当該検査結果情報に対応付けられた読取画像を、記憶部２８３から取得する。そして印刷ジョブ生成部２８５は、取得した検査結果情報のページ欠陥判定結果がページ欠陥ありである場合、ページ単位での位置報知印刷物生成用の印刷ジョブを生成する。
【０１３０】
ページ単位での位置報知印刷物の場合、当該位置報知印刷物による位置報知の対象となる印刷物は、ページ欠陥が有る印刷物、即ち、取得した検査結果情報の用紙ＩＤが示す印刷物となる。
【０１３１】
ここで、印刷ジョブ生成部２８５は、位置報知印刷物の生成元となる位置報知画像を生成するための位置報知画像生成用画像を生成し、ページ単位での位置報知印刷物生成用の印刷ジョブに含める。
【０１３２】
なお、位置報知画像生成用画像は、ページ欠陥が生じている印刷物の印刷面を読み取って生成された読取画像に基づく画像、即ち、記憶部２８３から取得した読取画像に基づく画像を含む。本実施形態では、印刷ジョブ生成部２８５は、取得した検査結果情報に含まれる欠陥情報及び取得した読取画像に基づいて、読取画像に基づく画像として、当該読取画像上での欠陥の位置を示した画像を生成する。
【０１３３】
図１０は、本実施形態のページ単位での位置報知印刷物生成用の印刷ジョブに含まれる位置報知画像生成用画像の一例を示す図である。図１０に示すように、位置報知画像生成用画像には、位置報知の対象となる印刷物の印刷面の読取画像（詳細には、読取画像の縮小画像）５０１が含まれており、読取画像５０１では、欠陥５０２が枠５０３で囲まれている。なお、枠５０３は、検査結果情報に含まれる欠陥情報のＸ座標左上、Ｙ座標左上、Ｘサイズ、及びＹサイズに基づく矩形であり、印刷ジョブ生成部２８５が読取画像５０１上に生成する。
【０１３４】
また、位置報知画像生成用画像には、当該位置報知画像生成用画像に基づいて生成される位置報知印刷物がスタッカ３００のトレイ３０１にスタックされた場合に、当該位置報知印刷物の何枚下に、位置報知の対象となる印刷物がスタックされているかを表示する表示枠５０４も含まれている。但し、表示枠５０４への数値の記入は、印刷装置１００により行われる。
【０１３５】
なお、印刷ジョブ生成部２８５は、取得した検査結果情報の用紙ＩＤも、ページ単位での位置報知印刷物生成用の印刷ジョブに含める。これは、印刷装置１００が表示枠５０４へ記入される数値を特定するために必要なためである。
【０１３６】
また印刷ジョブ生成部２８５は、印刷管理情報取得部２７３から出力された印刷管理情報の生成元の値がＤＦＥ１０であり、位置報知印刷種別の値が部毎であり、ページの値とページ数の値とが一致する場合、ページＩＤの値及びページ数の値を用いて、当該部に含まれる全てのページＩＤの検査結果情報を、記憶部２８３から取得する。
【０１３７】
具体的には、この場合の印刷管理情報取得部２７３から出力された印刷管理情報のページＩＤの値は、当該部の最終ページのページＩＤの値である。このため、印刷ジョブ生成部２８５は、当該ページＩＤの値及びページ数の値を用いて、当該部の先頭ページのページＩＤの値を算出し、先頭ページから最終ページのページＩＤの値それぞれと一致するページＩＤの検査結果情報を、記憶部２８３から取得する。なお、部の先頭ページのページＩＤの値は、部の最終ページのページＩＤの値−ページ数の値＋１で求められる。
【０１３８】
そして印刷ジョブ生成部２８５は、取得した検査結果情報の中にページ欠陥判定結果がページ欠陥ありである検査結果情報が含まれていれば、部単位での位置報知印刷物生成用の印刷ジョブを生成する。
【０１３９】
部単位での位置報知印刷物の場合、当該位置報知印刷物による位置報知の対象となる印刷物は、ページ欠陥が有る印刷物を含む部における最終ページの印刷物、即ち、取得した検査結果情報のうちページＩＤの値が最も大きい検査結果情報の用紙ＩＤが示す印刷物となる。
【０１４０】
ここで、印刷ジョブ生成部２８５は、位置報知印刷物の生成元となる位置報知画像を生成するための位置報知画像生成用画像を生成し、部単位での位置報知印刷物生成用の印刷ジョブに含める。
【０１４１】
なお、位置報知画像生成用画像は、部の何枚目に、ページ欠陥が生じている印刷面の印刷物、即ち、ページ欠陥判定結果がページ欠陥ありである検査結果情報の用紙ＩＤが示す印刷物が存在するかを示す画像を含む。
【０１４２】
図１１は、本実施形態の部単位での位置報知印刷物生成用の印刷ジョブに含まれる位置報知画像生成用画像の一例を示す図である。図１１に示すように、位置報知画像生成用画像には、部全体での印刷物の枚数を示す部用紙枚数５１１が含まれる。部用紙枚数５１１の値は、部の先頭ページの検査結果情報の用紙ＩＤの値−部の最終ページの検査結果情報の用紙ＩＤの値＋１で求められる。
【０１４３】
また、位置報知画像生成用画像には、部の先頭から何枚目の印刷物にページ欠陥が生じ、いずれの印刷面（表面又は裏面）にページ欠陥が生じているかを示すリスト画像５１２が含まれる。ページ欠陥が生じている印刷物が部の先頭から何枚目にあるかを示す発生用紙の値は、ページ欠陥判定結果がページ欠陥ありである検査結果情報の用紙ＩＤの値−部の先頭ページの検査結果情報の用紙ＩＤの値＋１で求められる。印刷物のいずれの印刷面にページ欠陥が生じているかを示す表／裏の値は、ページ欠陥判定結果がページ欠陥ありである検査結果情報の印刷面の値となる。
【０１４４】
また、位置報知画像生成用画像には、当該位置報知画像生成用画像に基づいて生成される位置報知印刷物がスタッカ３００のトレイ３０１にスタックされた場合に、当該位置報知印刷物の何枚下に、位置報知の対象となる印刷物がスタックされているかを表示する表示枠５１３も含まれている。なお、表示枠５１３への数値の記入は、印刷装置１００により行われる。
【０１４５】
なお、印刷ジョブ生成部２８５は、取得した部の最終ページの検査結果情報の用紙ＩＤも、部単位での位置報知印刷物生成用の印刷ジョブに含める。これは、印刷装置１００が表示枠５１３へ記入される数値を特定するために必要なためである。
【０１４６】
また印刷ジョブ生成部２８５は、印刷管理情報取得部２７３から出力された印刷管理情報の生成元の値がＤＦＥ１０であり、位置報知印刷種別の値がジョブ毎であり、ページの値とページ数の値とが一致し、かつ部の値と部数の値とが一致する場合、ページＩＤの値、ページ数、及び部数の値を用いて、当該ジョブに含まれる全てのページＩＤの検査結果情報を、記憶部２８３から取得する。
【０１４７】
具体的には、この場合の印刷管理情報取得部２７３から出力された印刷管理情報のページＩＤの値は、当該ジョブの最終ページのページＩＤの値である。このため、印刷ジョブ生成部２８５は、当該ページＩＤの値、ページ数の値、及び部数の値を用いて、当該ジョブの先頭ページのページＩＤの値を算出し、先頭ページから最終ページのページＩＤの値それぞれと一致するページＩＤの検査結果情報を、記憶部２８３から取得する。なお、ジョブの先頭ページのページＩＤの値は、部の最終ページのページＩＤの値−（ページ数の値×部数の値）＋１で求められる。
【０１４８】
そして印刷ジョブ生成部２８５は、取得した検査結果情報の中にページ欠陥判定結果がページ欠陥ありである検査結果情報が含まれていれば、ジョブ単位での位置報知印刷物生成用の印刷ジョブを生成する。
【０１４９】
ジョブ単位での位置報知印刷物の場合、当該位置報知印刷物による位置報知の対象となる印刷物は、ページ欠陥が有る印刷物を含むジョブにおける最終ページの印刷物、即ち、取得した検査結果情報のうちページＩＤの値が最も大きい検査結果情報の用紙ＩＤが示す印刷物となる。
【０１５０】
ここで、印刷ジョブ生成部２８５は、位置報知印刷物の生成元となる位置報知画像を生成するための位置報知画像生成用画像を生成し、ジョブ単位での位置報知印刷物生成用の印刷ジョブに含める。
【０１５１】
なお、位置報知画像生成用画像は、ジョブの何枚目に、ページ欠陥が生じている印刷面の印刷物、即ち、ページ欠陥判定結果がページ欠陥ありである検査結果情報の用紙ＩＤが示す印刷物が存在するかを示す画像を含む。
【０１５２】
図１２は、本実施形態のジョブ単位での位置報知印刷物生成用の印刷ジョブに含まれる位置報知画像生成用画像の一例を示す図である。図１２に示すように、位置報知画像生成用画像には、ジョブ全体での印刷物の枚数を示すジョブ用紙枚数５２１が含まれる。ジョブ用紙枚数５２１の値は、ジョブの先頭ページの検査結果情報の用紙ＩＤの値−ジョブの最終ページの検査結果情報の用紙ＩＤの値＋１で求められる。
【０１５３】
また、位置報知画像生成用画像には、ジョブの先頭から何枚目の印刷物にページ欠陥が生じ、いずれの印刷面（表面又は裏面）にページ欠陥が生じているかを示すリスト画像５２２が含まれる。ページ欠陥が生じている印刷物がジョブの先頭から何枚目にあるかを示す発生用紙の値は、ページ欠陥判定結果がページ欠陥ありである検査結果情報の用紙ＩＤの値−ジョブの先頭ページの検査結果情報の用紙ＩＤの値＋１で求められる。印刷物のいずれの印刷面にページ欠陥が生じているかを示す表／裏の値は、ページ欠陥判定結果がページ欠陥ありである検査結果情報の印刷面の値となる。
【０１５４】
また、位置報知画像生成用画像には、当該位置報知画像生成用画像に基づいて生成される位置報知印刷物がスタッカ３００のトレイ３０１にスタックされた場合に、当該位置報知印刷物の何枚下に、位置報知の対象となる印刷物がスタックされているかを表示する表示枠５２３も含まれている。なお、表示枠５２３への数値の記入は、印刷装置１００により行われる。
【０１５５】
なお、印刷ジョブ生成部２８５は、取得したジョブの最終ページの検査結果情報の用紙ＩＤも、ジョブ単位での位置報知印刷物生成用の印刷ジョブに含める。これは、印刷装置１００が表示枠５２３へ記入される数値を特定するために必要なためである。
【０１５６】
通知部２８７は、印刷ジョブ生成部２８５により生成された位置報知印刷物生成用の印刷ジョブを印刷装置１００へ通知する。
【０１５７】
ここで、位置報知印刷物生成用の印刷ジョブには、前述のように、位置報知画像生成用画像が含まれる。このため、通知部２８７は、位置報知画像生成用画像を印刷装置１００に通知することになる。
【０１５８】
また、位置報知印刷物生成用の印刷ジョブには、前述のように、位置報知印刷物による位置報知の対象となる印刷物の用紙ＩＤも含まれる。このため、通知部２８７は、欠陥が生じている印刷面に形成された元画像を含む１ページ分以上の元画像のうち、所定ページの元画像が印刷された用紙の用紙ＩＤを印刷装置１００に通知することになる。
【０１５９】
なお、ページ単位での位置報知印刷物生成用の印刷ジョブの場合、１ページ分以上の元画像は、欠陥が生じている印刷面に形成された元画像そのものであり、所定ページの元画像も、欠陥が生じている印刷面に形成された元画像そのものとなる。つまり、通知部２８７は、ページ欠陥判定結果がページ欠陥ありである検査結果情報の用紙ＩＤを印刷装置１００に通知することになる。
【０１６０】
また、部単位での位置報知印刷物生成用の印刷ジョブの場合、１ページ分以上の元画像は、欠陥が生じている印刷面に形成された元画像を含む部を構成する１以上の元画像であり、所定ページの元画像は、当該部の最終ページの元画像である。つまり、通知部２８７は、部の最終ページの検査結果情報の用紙ＩＤを印刷装置１００に通知することになる。
【０１６１】
また、ジョブ単位での位置報知印刷物生成用の印刷ジョブの場合、１ページ分以上の元画像は、欠陥が生じている印刷面に形成された元画像を含むジョブを構成する１以上の元画像であり、所定ページの元画像は、当該ジョブの最終ページの元画像である。つまり、通知部２８７は、ジョブの最終ページの検査結果情報の用紙ＩＤを印刷装置１００に通知することになる。
【０１６２】
ここで、再び、受付部１７１、印刷管理情報生成部１７３、処理部１７７、ＲＩＰ部１７５、及び印刷部１７９について説明する。
【０１６３】
受付部１７１は、印刷物検査装置２００から、ページ単位での位置報知印刷物生成用の印刷ジョブ、部単位での位置報知印刷物生成用の印刷ジョブ、又はジョブ単位での位置報知印刷物生成用の印刷ジョブを受け付ける。
【０１６４】
印刷管理情報生成部１７３は、受付部１７１により受け付けられた位置報知印刷物生成用の印刷ジョブに基づいて、当該印刷ジョブを管理する印刷管理情報を生成し、生成した印刷管理情報を処理部１７７に出力する。
【０１６５】
この際、印刷管理情報生成部１７３は、受付部１７１により受け付けられた位置報知印刷物生成用の印刷ジョブがページ単位での位置報知印刷物生成用の印刷ジョブであれば、ジョブ優先度の値を０、位置報知印刷種別の値をページ毎に設定する。これにより、次のページの切れ目に、受付部１７１により受け付けられた位置報知印刷物生成用の印刷ジョブを割り込ませて当該印刷ジョブに基づく印刷を実行させることができる。なお、次のページの切れ目に、受付部１７１により受け付けられた位置報知印刷物生成用の印刷ジョブを割り込ませることができる理由については、後述する。
【０１６６】
また、印刷管理情報生成部１７３は、受付部１７１により受け付けられた位置報知印刷物生成用の印刷ジョブが部単位での位置報知印刷物生成用の印刷ジョブであれば、ジョブ優先度の値を１０、位置報知印刷種別の値を部毎に設定する。これにより、次の部の切れ目に、受付部１７１により受け付けられた位置報知印刷物生成用の印刷ジョブを割り込ませて当該印刷ジョブに基づく印刷を実行させることができる。なお、次の部の切れ目に、受付部１７１により受け付けられた位置報知印刷物生成用の印刷ジョブを割り込ませることができる理由については、後述する。
【０１６７】
また、印刷管理情報生成部１７３は、受付部１７１により受け付けられた位置報知印刷物生成用の印刷ジョブがジョブ単位での位置報知印刷物生成用の印刷ジョブであれば、ジョブ優先度の値を２０、位置報知印刷種別の値をジョブ毎に設定する。これにより、次のジョブの切れ目に、受付部１７１により受け付けられた位置報知印刷物生成用の印刷ジョブを割り込ませて当該印刷ジョブに基づく印刷を実行させることができる。なお、次のジョブの切れ目に、受付部１７１により受け付けられた位置報知印刷物生成用の印刷ジョブを割り込ませることができる理由については、後述する。
【０１６８】
また、印刷管理情報生成部１７３は、位置報知対象用紙ＩＤの値に、受付部１７１により受け付けられた位置報知印刷物生成用の印刷ジョブに含まれる用紙ＩＤの値を設定する。
【０１６９】
処理部１７７は、印刷管理情報生成部１７３から印刷管理情報を取得して保持し、保持している印刷管理情報の中から当該印刷管理情報を選択すると、当該印刷管理情報のページＩＤ、用紙ＩＤ、部ＩＤ、及びジョブＩＤそれぞれの値を設定し、ジョブ状態の値を印刷中に更新する。そして処理部１７７は、更新した印刷管理情報が示す位置報知画像を取得するため、例えば、更新した印刷管理情報をＲＩＰ部１７５に出力する。
【０１７０】
ＲＩＰ部１７５は、受付部１７１により受け付けられた位置報知印刷物生成用の印刷ジョブと、処理部１７７から出力された印刷管理情報に基づいて、位置報知印刷物の生成元となる位置報知画像を生成し、生成した位置報知画像を処理部１７７に出力する。
【０１７１】
具体的には、ＲＩＰ部１７５は、処理部１７７から出力された印刷管理情報の用紙ＩＤの値と位置報知対象用紙ＩＤの値との差から、生成する位置報知画像に基づいて生成される位置報知印刷物がスタッカ３００のトレイ３０１にスタックされた場合に、当該位置報知印刷物の何枚下に、位置報知の対象となる印刷物がスタックされているかを特定する。
【０１７２】
そしてＲＩＰ部１７５は、受付部１７１により受け付けられた位置報知印刷物生成用の印刷ジョブに含まれる位置報知画像生成用画像の表示枠内に、特定した数値（何枚下かを表す数値）の画像を合成するようＲＩＰ処理し、位置報知画像を生成する。
【０１７３】
つまりＲＩＰ部１７５は、受付部１７１により受け付けられた位置報知印刷物生成用の印刷ジョブがページ単位での位置報知印刷物生成用の印刷ジョブであれば、位置報知画像生成用画像に、位置報知印刷物の何枚下に欠陥が生じている印刷面を有する印刷物が存在するかを表した画像を合成して、位置報知画像を生成する。
【０１７４】
またＲＩＰ部１７５は、受付部１７１により受け付けられた位置報知印刷物生成用の印刷ジョブが部単位での位置報知印刷物生成用の印刷ジョブであれば、位置報知画像生成用画像に、位置報知印刷物の何枚下に当該部の最終ページの元画像が形成された印刷物が存在するかを表した画像を合成して、位置報知画像を生成する。
【０１７５】
またＲＩＰ部１７５は、受付部１７１により受け付けられた位置報知印刷物生成用の印刷ジョブがジョブ単位での位置報知印刷物生成用の印刷ジョブであれば、位置報知画像生成用画像に、位置報知印刷物の何枚下に当該ジョブの最終ページの元画像が形成された印刷物が存在するかを表した画像を合成して、位置報知画像を生成する。
【０１７６】
図１３は、本実施形態のページ単位での位置報知印刷物生成用の印刷ジョブに基づいて生成される位置報知画像の一例を示す図であり、図１０に示す位置報知画像生成用画像の表示枠５０４に、当該位置報知画像に基づいて生成される位置報知印刷物の７枚下に、位置報知の対象となる印刷物がスタックされていることが表されている。
【０１７７】
つまり、ＲＩＰ部１７５は、印刷物検査装置２００から通知された用紙ＩＤ（位置報知印刷物生成用の印刷ジョブの印刷管理情報の位置報知対象用紙ＩＤ）、及び位置報知画像が印刷される用紙の用紙ＩＤ（位置報知印刷物生成用の印刷ジョブの印刷管理情報の用紙ＩＤ）に基づいて、位置報知画像として、位置報知印刷物の何枚下に所定ページの元画像が形成された印刷物が存在するかを表した画像を生成する。このため、位置報知画像は、所定ページの元画像が形成された印刷物との位置関係を示す。
【０１７８】
そして処理部１７７は、更新した印刷管理情報及びＲＩＰ部１７５から出力された位置報知画像を印刷部１７９へ出力し、印刷部１７９は、当該印刷管理情報に従って用紙を搬送するとともに、当該位置報知画像を当該用紙に印刷することで位置報知印刷物を生成する。つまり、印刷部１７９は、印刷物検査装置２００から通知された用紙ＩＤ（位置報知印刷物生成用の印刷ジョブの印刷管理情報の位置報知対象用紙ＩＤ）と、位置報知画像が印刷される用紙の用紙ＩＤ（位置報知印刷物生成用の印刷ジョブの印刷管理情報の用紙ＩＤ）と、に基づいて、当該位置報知画像を当該用紙に印刷して、位置報知印刷物を生成する。
【０１７９】
この後、生成された位置報知印刷物は、印刷物検査装置２００を介してスタッカ３００のトレイ３０１にスタックされる。
【０１８０】
図１４は、本実施形態の印刷装置１００で行われる印刷処理の手順の流れの一例を示すフローチャートである。
【０１８１】
まず、処理部１７７は、保持中の印刷管理情報の有無を確認する（ステップＳ１０１）。但し、保持中の印刷管理情報がない場合（ステップＳ１０１でＮｏ）、ステップＳ１０１へ戻る。
【０１８２】
一方、保持中の印刷管理情報がある場合（ステップＳ１０１でＹｅｓ）、処理部１７７は、保持している印刷管理情報の中から最も優先度の高い印刷ジョブの印刷管理情報を選択する選択処理を行う（ステップＳ１０３）。なお、選択処理の詳細については、後述する。
【０１８３】
続いて、処理部１７７は、選択した印刷管理情報を更新する（ステップＳ１０５）。例えば、図７に示す印刷管理情報の場合、処理部１７７は、ページＩＤ、用紙ＩＤ、部ＩＤ、及びジョブＩＤそれぞれの値を設定し、ジョブ状態の値を印刷中に更新する。
【０１８４】
続いて、処理部１７７は、更新した印刷管理情報に基づく画像を取得し、当該更新した印刷管理情報及び当該画像を印刷部１７９へ出力する（ステップＳ１０７）。例えば、図７に示す印刷管理情報の場合、処理部１７７は、生成元の値がＤＦＥ１０であれば、ページの値をＤＦＥ１０に通知して、当該ページの元画像を取得し、生成元の値が内部であれば、ページの値をＲＩＰ部１７５に通知して、当該ページの位置報知画像を取得する。
【０１８５】
続いて、印刷部１７９は、処理部１７７から出力された印刷管理情報に従って用紙を搬送するとともに、処理部１７７から出力された画像を当該用紙に印刷する（ステップＳ１０９）。印刷部１７９は、処理部１７７から出力された画像が元画像の場合、当該元画像を用紙に印刷することで印刷物を生成し、処理部１７７から出力された画像が位置報知画像の場合、当該位置報知画像を用紙に印刷することで位置報知印刷物を生成する。
【０１８６】
続いて、処理部１７７は、更新した印刷管理情報を印刷物検査装置２００へ出力し（ステップＳ１１１）、取得した画像を印刷物検査装置２００へ出力する（ステップＳ１１３）。
【０１８７】
そして、ステップＳ１０１へ戻る。
【０１８８】
図１５は、本実施形態の選択処理（図１４に示すフローチャートのステップＳ１０３の選択処理）の手順の流れの一例を示すフローチャートである。なお、図１５に示す例では、処理部１７７が前回選択した印刷管理情報のページの値をＢＮ、ページ数の値をＢＡ、部の値をＪＮ、部数の値をＪＡとする。また、印刷管理情報の選択用の優先度の値をＬ、印刷管理情報の選択用の優先度の閾値をＴＬとする。
【０１８９】
まず、処理部１７７は、Ｌ＝０、ＴＬ＝１０に初期化する（ステップＳ２０１）。
【０１９０】
続いて、処理部１７７は、ＢＮ＝ＢＡかつＪＮ≠ＪＡであれば（ステップＳ２０３でＹｅｓ、ステップＳ２０５でＮｏ）、部の切れ目であるため、ＴＬ＝２０とし（ステップＳ２０７）、ＢＮ＝ＢＡかつＪＮ＝ＪＡであれば（ステップＳ２０３でＹｅｓ、ステップＳ２０５でＹｅｓ）、ジョブの切れ目であるため、ＴＬ＝３０とする（ステップＳ２０９）。なお、ＢＮ≠ＢＡであれば（ステップＳ２０３でＮｏ）、ページの切れ目であるため、ＴＬ＝１０のままである。
【０１９１】
続いて、処理部１７７は、ジョブ優先度の値がＬである印刷管理情報を保持していない場合（ステップＳ２１１でＮｏ）、又はジョブ優先度の値がＬである印刷管理情報を保持しているが（ステップＳ２１１でＹｅｓ）、Ｌ＜ＴＬでない場合（ステップＳ２１３でＮｏ）、Ｌの値を１加算する（ステップＳ２１５）。
【０１９２】
続いて、Ｌ＞２９でなければ（ステップＳ２１７でＮｏ）、ステップＳ２１１へ戻る。
【０１９３】
一方、Ｌ＞２９であれば（ステップＳ２１７でＹｅｓ）、処理部１７７は、ＴＬ＝１００とし（ステップＳ２１９）、ステップＳ２１１へ戻る。
【０１９４】
そして、処理部１７７は、ジョブ優先度の値がＬである印刷管理情報を保持し（ステップＳ２１１でＹｅｓ）、Ｌ＜ＴＬであれば（ステップＳ２１３でＹｅｓ）、ジョブ優先度の値がＬである印刷管理情報の中から、生成時刻の値が最も古い時刻を示す印刷管理情報を選択する（ステップＳ２２１）。
【０１９５】
以上より、ジョブ優先度の値が０であれば、次のページの切れ目に印刷ジョブを割り込ませることができ、ジョブ優先度の値が１０であれば、次の部の切れ目に印刷ジョブを割り込ませることができ、ジョブ優先度の値が２０であれば、次のジョブの切れ目に印刷ジョブを割り込ませることができる。
【０１９６】
図１６は、本実施形態の印刷物検査装置２００で行われる検査処理の手順の流れの一例を示すフローチャートである。
【０１９７】
まず、画像取得部２７１は、印刷装置１００により印刷物又は位置報知印刷物が生成されると、印刷装置１００から当該印刷物の生成元の元画像又は当該位置報知印刷物の生成元の位置報知画像を取得する（ステップＳ３０１）。
【０１９８】
続いて、印刷管理情報取得部２７３は、印刷装置１００により印刷物又は位置報知印刷物が生成されると、印刷装置１００から当該印刷物の生成元の元画像又は当該位置報知印刷物の生成元の位置報知画像の印刷管理情報を取得し、マスター画像生成部２７５、読取部２７７、及び印刷ジョブ生成部２８５へ出力する（ステップＳ３０２）。
【０１９９】
続いて、マスター画像生成部２７５は、画像取得部２７１により取得された画像に基づいて、マスター画像を生成し、生成したマスター画像に印刷管理情報取得部２７３から出力された印刷管理情報を対応付けて、検査部２８１へ出力する（ステップＳ３０３）。
【０２００】
続いて、読取部２７７は、印刷管理情報取得部２７３から出力された印刷管理情報に従って、印刷物又は位置報知印刷物から、当該印刷管理情報が示す印刷面を電子的に読み取って、読取画像を生成し、生成した読取画像に当該印刷管理情報を対応付けて、検査部２８１へ出力する（ステップＳ３０４）。
【０２０１】
続いて、検査部２８１は、マスター画像生成部２７５から出力されたマスター画像及び印刷管理情報を対応付けて保持しており、読取部２７７から読取画像及び印刷管理情報が出力されると、保持しているマスター画像の中から、当該読取画像に対応付けられた印刷管理情報と一致する印刷管理情報に対応付けられたマスター画像を取得する。そして検査部２８１は、読取部２７７から取得した読取画像と取得したマスター画像との位置合わせを行う（ステップＳ３０５）。
【０２０２】
続いて、検査部２８１は、位置合わせ後の読取画像とマスター画像とを画素単位で比較し、ＲＧＢ各色８ｂｉｔの画素値の差分値を画素毎に算出し、画素毎の画素値の差分値で構成される差分画像を生成する（ステップＳ３０７）。
【０２０３】
続いて、検査部２８１は、生成した差分画像に対して、点状欠陥の差分閾値を用いた判定を行い（ステップＳ３０９）、点状欠陥の差分閾値を用いた判定結果に対して、点状欠陥の面積閾値を用いた判定を行う（ステップＳ３１１）。
【０２０４】
続いて、検査部２８１は、生成した差分画像に対して、線状欠陥の差分閾値を用いた判定を行い（ステップＳ３１３）、線状欠陥の差分閾値を用いた判定結果に対して、線状欠陥の面積閾値を用いた判定を行う（ステップＳ３１５）。
【０２０５】
続いて、検査部２８１は、生成した差分画像に対して、面状欠陥の差分閾値を用いた判定を行い（ステップＳ３１７）、面状欠陥の差分閾値を用いた判定結果に対して、面状欠陥の面積閾値を用いた判定を行う（ステップＳ３１９）。
【０２０６】
続いて、検査部２８１は、欠陥毎に、当該欠陥に含まれる各異常画素の画素値と当該欠陥の差分閾値との差分の絶対値を算出し、算出した差分の絶対値の合計値に当該欠陥用の欠陥判定係数を乗じ、欠陥判定値を算出する。そして検査部２８１は、各欠陥の欠陥判定値の合計値をページ欠陥判定閾値と比較するページ欠陥判定を行い、当該合計値がページ欠陥判定閾値以上の場合、印刷管理情報のページＩＤが示す印刷ページを欠陥発生と判定し、当該合計値がページ欠陥判定閾値未満の場合、印刷管理情報のページＩＤが示す印刷ページを欠陥無しと判定し、検査結果を示す検査結果情報を記憶部２８３に記憶する（ステップＳ３２１）。
【０２０７】
続いて、印刷ジョブ生成部２８５及び通知部２８７は、位置報知印刷物生成用の印刷ジョブ生成処理を行う（ステップＳ３２３）。
【０２０８】
図１７は、本実施形態の印刷ジョブ生成処理（図１６に示すフローチャートのステップＳ３２３の印刷ジョブ生成処理）の手順の流れの一例を示すフローチャートである。なお、図１７に示す例では、印刷管理情報取得部２７３から出力された印刷管理情報のページの値をＢＮ、ページ数の値をＢＡ、部の値をＪＮ、部数の値をＪＡとする。
【０２０９】
まず、印刷ジョブ生成部２８５は、印刷管理情報取得部２７３から出力された印刷管理情報の生成元の値がＤＦＥ１０であり（ステップＳ４０１でＹｅｓ）、位置報知印刷種別の値がジョブ毎であり（ステップＳ４０３でＹｅｓ）、ＢＮ＝ＢＡかつＪＮ＝ＪＡであれば（ステップＳ４０５でＹｅｓ、ステップＳ４０７でＹｅｓ）、ジョブの切れ目であるため、ジョブの全ての検査結果情報を記憶部２８３から取得する（ステップＳ４０９）。
【０２１０】
なお、ＢＮ≠ＢＡ（ステップＳ４０５でＮｏ）、又はＪＮ≠ＪＡ（ステップＳ４０７でＮｏ）であれば、ジョブの切れ目でないため、処理終了となる。
【０２１１】
続いて、印刷ジョブ生成部２８５は、取得した検査結果情報の中にページ欠陥判定結果がページ欠陥ありである検査結果情報が含まれていれば（ステップＳ４１１でＹｅｓ）、ジョブ単位での位置報知印刷物生成用の印刷ジョブを生成する（ステップＳ４１３）。
【０２１２】
なお、取得した検査結果情報の中にページ欠陥判定結果がページ欠陥ありである検査結果情報が含まれていなければ（ステップＳ４１１でＮｏ）、報知対象の印刷物がないため、処理終了となる。
【０２１３】
また、印刷ジョブ生成部２８５は、印刷管理情報取得部２７３から出力された印刷管理情報の位置報知印刷種別の値が部毎であり（ステップＳ４０３でＮｏ、ステップＳ４１５でＹｅｓ）、ＢＮ＝ＢＡであれば（ステップＳ４１７でＹｅｓ）、部の切れ目であるため、部の全ての検査結果情報を記憶部２８３から取得する（ステップＳ４１９）。
【０２１４】
なお、ＢＮ≠ＢＡ（ステップＳ４１７でＮｏ）であれば、部の切れ目でないため、処理終了となる。
【０２１５】
続いて、印刷ジョブ生成部２８５は、取得した検査結果情報の中にページ欠陥判定結果がページ欠陥ありである検査結果情報が含まれていれば（ステップＳ４２１でＹｅｓ）、部単位での位置報知印刷物生成用の印刷ジョブを生成する（ステップＳ４２３）。
【０２１６】
なお、取得した検査結果情報の中にページ欠陥判定結果がページ欠陥ありである検査結果情報が含まれていなければ（ステップＳ４２１でＮｏ）、報知対象の印刷物がないため、処理終了となる。
【０２１７】
また、印刷ジョブ生成部２８５は、印刷管理情報取得部２７３から出力された印刷管理情報の位置報知印刷種別の値がページ毎であれば（ステップＳ４１５でＮｏ、ステップＳ４２５でＹｅｓ）、ページの切れ目であるため、ページの検査結果情報を記憶部２８３から取得する（ステップＳ４２７）。なお、印刷管理情報取得部２７３から出力された印刷管理情報の位置報知印刷種別の値がオフであれば（ステップＳ４２５でＮｏ）、処理終了となる。
【０２１８】
続いて、印刷ジョブ生成部２８５は、取得した検査結果情報のページ欠陥判定結果がページ欠陥ありであれば（ステップＳ４２９でＹｅｓ）、ページ単位での位置報知印刷物生成用の印刷ジョブを生成する（ステップＳ４３１）。
【０２１９】
なお、取得した検査結果情報のページ欠陥判定結果がページ欠陥ありでなければ（ステップＳ４２９でＮｏ）、報知対象の印刷物がないため、処理終了となる。
【０２２０】
そして通知部２８７は、生成された位置報知印刷物生成用の印刷ジョブを印刷装置１００へ通知する（ステップＳ４３３）。
【０２２１】
なお、印刷管理情報取得部２７３から出力された印刷管理情報の生成元の値がＤＦＥ１０でない場合（ステップＳ４０１でＮｏ）、位置報知印刷物を生成しない設定であるため、処理終了となる。
【０２２２】
図１８は、本実施形態の印刷装置１００で行われる位置報知画像生成処理の手順の流れの一例を示すフローチャートである。なお、図１８に示す処理は、図１４に示すフローチャートのステップＳ１０７で処理部１７７の取得対象の画像が位置報知画像の場合にＲＩＰ部１７５で行われる。
【０２２３】
まず、ＲＩＰ部１７５は、処理部１７７から更新後の印刷管理情報を取得する（ステップＳ５０１）。
【０２２４】
続いて、ＲＩＰ部１７５は、取得した印刷管理情報の用紙ＩＤの値と位置報知対象用紙ＩＤの値との差から、生成する位置報知画像に基づいて生成される位置報知印刷物がスタッカ３００のトレイ３０１にスタックされた場合に、当該位置報知印刷物の何枚下に、位置報知の対象となる印刷物がスタック（位置）されているかを特定する（ステップＳ５０３）。
【０２２５】
続いて、ＲＩＰ部１７５は、受付部１７１により受け付けられた位置報知印刷物生成用の印刷ジョブに含まれる位置報知画像生成用画像の表示枠内に、特定した数値（何枚下かを表す数値）の画像を合成するようＲＩＰ処理し、位置報知画像を生成する（ステップＳ５０５）。
【０２２６】
続いて、ＲＩＰ部１７５は、生成した位置報知画像を処理部１７７へ出力する（ステップＳ５０７）。
【０２２７】
以上のように本実施形態によれば、位置報知印刷物の何枚下に位置報知の対象となる印刷物が位置するかが、当該位置報知印刷物に表示されるため、専用の機構を有さなくても、スタッカ３００のトレイ３０１にスタックされている印刷物の中から、位置報知の対象となる印刷物の位置をユーザに把握させ易くすることが可能となる。
【０２２８】
また本実施形態によれば、位置報知印刷物の何枚下に位置報知の対象となる印刷物が位置するかが、当該位置報知印刷物に表示されるため、スタッカ３００のトレイ３０１にスタックされている印刷物の中から、位置報知の対象となる印刷物の正確な位置をユーザに把握させることも可能となる。なお、従来技術のように、ＬＥＤの点灯により所定の印刷物の位置を報知する技術では、所定の印刷物の大まかな位置をユーザに把握させることはできるが、正確な位置をユーザに把握させることはできない。
（変形例）
【０２２９】
なお上記実施形態において、元画像に基づく印刷物を生成する場合と位置報知画像に基づく位置報知印刷物を生成する場合とで、印刷に使用される用紙の種類（例えば、色）を異ならせるようにしてもよい。これは、位置報知印刷物の印刷に用いられる用紙を収納する給紙部と、印刷物の印刷に用いられる用紙を収納する給紙部と、を異ならせれば、容易に実現できる。
【０２３０】
このようにすれば、スタッカ３００のトレイ３０１にスタックされている印刷物の中から位置報知印刷物をユーザに用意に把握させ易くすることが可能となるため、結果的に、位置報知の対象となる印刷物の位置をユーザにより把握させ易くすることが可能となる。
【０２３１】
また上記実施形態では、印刷装置１００（処理部１７７）で最終的な印刷順序を決定するため、位置報知印刷物生成用の印刷ジョブを印刷装置１００で処理するようにしたが、ＤＦＥ１０で最終的な印刷順序を決定する場合、位置報知印刷物生成用の印刷ジョブをＤＦＥ１０で処理するようにすればよい。つまり、受付部１７１、印刷管理情報生成部１７３、ＲＩＰ部１７５をＤＦＥ１０が備えるようにすればよい。
【符号の説明】
【０２３２】
１  印刷物検査システム
２  ネットワーク
３  通信線
５  ＰＣ
１０  ＤＦＥ
１１  制御装置
１２  主記憶装置
１３  補助記憶装置
１４  表示装置
１５  入力装置
１６  ネットワークインタフェース（Ｉ／Ｆ）
１７  専用インタフェース（Ｉ／Ｆ）
７１  受付部
７３  印刷管理情報生成部
７５  ＲＩＰ部
１００  印刷装置
１０１  オペレーションパネル
１０２Ｙ、１０２Ｍ、１０２Ｃ、１０２Ｋ  感光体ドラム
１０３  転写ベルト
１０４  二次転写ローラ
１０５  給紙部
１０６  搬送ローラ対
１０７  定着ローラ
１０８  反転パス
１１０  コントローラ
１１１  ＣＰＵ
１１２  システムメモリ
１１２ａ  ＲＯＭ
１１２ｂ  ＲＡＭ
１１３  ノースブリッジ
１１４  サウスブリッジ
１１５  ＡＧＰバス
１１６  ＡＳＩＣ
１１７  ローカルメモリ
１１８  ハードディスクドライブ
１２０  操作表示部
１３０  ネットワークインタフェース（Ｉ／Ｆ）
１４０  専用インタフェース（Ｉ／Ｆ）
１６０  エンジン部
１７１  受付部
１７３  印刷管理情報生成部
１７５  ＲＩＰ部
１７７  処理部
１７９  印刷部
２００  印刷物検査装置
２０１Ａ、２０１Ｂ、２７７  読取部
２０３  オペレーションパネル
２１０  コントローラ
２１１  ＣＰＵ
２１２  システムメモリ
２１２ａ  ＲＯＭ
２１２ｂ  ＲＡＭ
２１３  ノースブリッジ
２１４  サウスブリッジ
２１５  ＡＧＰバス
２１６  ＡＳＩＣ
２１７  ローカルメモリ
２１８  ハードディスクドライブ
２２０  操作表示部
２３０  ネットワークインタフェース（Ｉ／Ｆ）
２４０  専用インタフェース（Ｉ／Ｆ）
２６０  エンジン部
２７１  画像取得部
２７３  印刷管理情報取得部
２７５  マスター画像生成部
２７７  読取部
２８１  検査部
２８３  記憶部
２８５  印刷ジョブ生成部
２８７  通知部
３００  スタッカ
３０１  トレイ
【先行技術文献】
【特許文献】
【０２３３】
【特許文献１】特開２０１４−１９８４６５号公報
【図１】
2017034298.tif 000003
【図２】
2017034298.tif 000004
【図３】
2017034298.tif 000005
【図４】
2017034298.tif 000006
【図５】
2017034298.tif 000007
【図６】
2017034298.tif 000008
【図７】
2017034298.tif 000009
【図８】
2017034298.tif 000010
【図９】
2017034298.tif 000011
【図１０】
2017034298.tif 000012
【図１１】
2017034298.tif 000013
【図１２】
2017034298.tif 000014
【図１３】
2017034298.tif 000015
【図１４】
2017034298.tif 000016
【図１５】
2017034298.tif 000017
【図１６】
2017034298.tif 000018
【図１７】
2017034298.tif 000019
【図１８】
2017034298.tif 000020